(57)【特許請求の範囲】
【請求項１】
業務委託に関する情報を処理する業務委託情報処理装置と、業務の委託元の委託元用情報端末装置と、上記業務の委託先の委託先用情報端末装置とを、ネットワークを介して通信可能に接続して構成された業務委託情報管理システムであって、
上記業務委託情報処理装置は、
上記委託元用情報端末装置から上記業務の上記委託先に対する委託指示情報を受信して一意の委託情報ＩＤを付与して格納し、上記業務の上記委託先の上記委託先用情報端末装置に対して当該委託情報ＩＤに関連付けられた当該委託指示情報を送信する委託指示情報送信手段と、
上記委託先用情報端末装置から、上記委託情報ＩＤに関連付けられた上記委託指示情報に対応する業務報告に関する情報であって、上記委託先が少なくとも最終請求金額に関する情報を指定した業務報告情報を受信して当該委託情報ＩＤに関連付けて格納する業務報告情報格納手段と、
上記委託先が上記業務報告情報にて指定した上記最終請求金額を入金した第１の契約口座から、上記委託元が契約する第２の契約口座に当該最終請求金額を振り替えることを金融機関システムに依頼する振替依頼手段と、
上記振替依頼手段による振り替えが完了したことを通知する振替完了通知であって、上記委託情報ＩＤ、当該委託情報ＩＤに関連付けられた、上記委託指示情報のうち少なくとも一部、上記業務報告情報のうち少なくとも一部、および、上記第１の契約口座から上記第２の契約口座への振替日を含む当該振替完了通知を上記委託元の上記委託元用情報端末装置に対して送信する振替完了通知手段と、
を備え、
上記委託元用情報端末装置は、
上記業務の上記委託先に対する上記委託指示情報を上記業務委託情報処理装置に対して送信する委託指示情報送信手段と、
当該委託指示情報に対応する上記振替完了通知を受信する振替完了通知受信手段と、
を備え、
上記委託先用情報端末装置は、
上記業務委託情報処理装置から上記委託指示情報を受信する委託指示情報受信手段と、
上記委託指示情報受信手段にて受信した上記委託情報ＩＤに関連付けられた上記委託指示情報に対応する業務報告に関する情報であって、上記委託先が少なくとも最終請求金額に関する情報を指定した業務報告情報を上記業務委託情報処理装置に対して送信する業務報告情報送信手段と、
を備え、
上記委託元用情報端末装置において上記振替完了通知受信手段により受信した上記振替完了通知に基づき、上記委託元における上記最終請求金額の入金確認を可能とすることを特徴とする業務委託情報管理システム。
【請求項２】
上記委託指示情報は、上記業務の上記委託元、上記業務の上記委託先、派遣先、上記業務の委託内容、請求金額、請求金額の受け取り方法、および、上記第１の契約口座への入金期日のうち少なくとも一つに関する情報を含むことを特徴とする請求項１に記載の業務委託情報管理システム。
【請求項３】
上記業務報告情報は、上記業務の実施日、上記業務の実施内容、および、上記第１の契約口座への入金日のうち少なくとも一つに関する情報をさらに含むことを特徴とする請求項１に記載の業務委託情報管理システム。
【請求項４】
請求項１に記載の業務委託情報管理システムであって、
上記委託元用情報端末装置は、
上記振替完了通知受信手段により受信した上記振替完了通知のうちの少なくとも一部を、上記委託元の上記委託指示情報のうちの少なくとも一部と付け合わせて入金の消し込みを行う入金消込手段
を更に備えたことを特徴とする業務委託情報管理システム。
【請求項５】
請求項１における業務委託情報管理システムを構成する業務委託情報処理装置であって、
上記委託元用情報端末装置から上記業務の上記委託先に対する委託指示情報を受信する委託指示情報受信手段と、
上記委託指示情報受信手段により受信した上記委託指示情報を一意の委託情報ＩＤを付与して格納する委託指示情報格納手段と、
上記委託情報ＩＤに関連付けられた上記委託指示情報を上記業務の上記委託先の上記委託先用情報端末装置に対して送信する委託指示情報送信手段と、
上記委託先用情報端末装置から、上記委託情報ＩＤに関連付けられた上記委託指示情報に対応する業務報告に関する情報であって、上記委託先が少なくとも最終請求金額に関する情報を指定した業務報告情報を受信する業務報告情報受信手段と、
上記業務報告情報受信手段により受信した上記業務報告情報を上記委託情報ＩＤに関連付けて格納する業務報告情報格納手段と、
上記委託先が上記業務報告情報にて指定した上記最終請求金額を入金した第１の契約口座から、上記委託元が契約する第２の契約口座に当該最終請求金額を振り替えることを金融機関システムに依頼する振替依頼手段と、
上記振替依頼手段による振り替えが完了したことを通知する振替完了通知であって、上記委託情報ＩＤ、当該委託情報ＩＤに関連付けられた、上記委託指示情報のうち少なくとも一部、上記業務報告情報のうち少なくとも一部、および、上記第１の契約口座から上記第２の契約口座への振替日を含む当該振替完了通知を上記委託元の上記委託元用情報端末装置に対して送信する振替完了通知手段と、
を備えたことを特徴とする業務委託情報処理装置。
【請求項６】
上記委託指示情報は、上記業務の上記委託元、上記業務の上記委託先、派遣先、上記業務の委託内容、請求金額、請求金額の受け取り方法、および、上記第１の契約口座への入金期日のうち少なくとも一つに関する情報を含むことを特徴とする請求項５に記載の業務委託情報処理装置。
【請求項７】
上記業務報告情報は、上記業務の実施日、上記業務の実施内容、および、上記第１の契約口座への入金日のうち少なくとも一つに関する情報をさらに含むことを特徴とする請求項５に記載の業務委託情報処理装置。
【請求項８】
請求項１における業務委託情報管理システムを構成する委託元用情報端末装置であって、
上記業務の上記委託先に対する上記委託指示情報を上記業務委託情報処理装置に対して送信する委託指示情報送信手段と、
当該委託指示情報に対応する上記振替完了通知を受信する振替完了通知受信手段と、
を備え、
上記振替完了通知受信手段により受信した上記振替完了通知に基づき、上記委託元における上記最終請求金額の入金確認を可能とすることを特徴とする委託元用情報端末装置。
【請求項９】
上記委託指示情報は、上記業務の上記委託元、上記業務の上記委託先、派遣先、上記業務の委託内容、請求金額、請求金額の受け取り方法、および、上記第１の契約口座への入金期日のうち少なくとも一つに関する情報を含むことを特徴とする請求項８に記載の委託元用情報端末装置。
【請求項１０】
上記業務報告情報は、上記業務の実施日、上記業務の実施内容、および、上記第１の契約口座への入金日のうち少なくとも一つに関する情報をさらに含むことを特徴とする請求項８に記載の委託元用情報端末装置。
【請求項１１】
請求項８に記載の委託元用情報端末装置であって、
上記振替完了通知受信手段により受信した上記振替完了通知のうちの少なくとも一部を、上記委託元の上記委託指示情報のうちの少なくとも一部と付け合わせて入金の消し込みを行う入金消込手段
を更に備えたことを特徴とする委託元用情報端末装置。
【請求項１２】
請求項１における業務委託情報管理システムを構成する委託先用情報端末装置であって、
上記委託指示情報を上記業務委託情報処理装置から受信する委託指示情報受信手段と、
上記委託指示情報受信手段により受信した上記委託情報ＩＤに関連付けられた上記委託指示情報に対応する業務報告に関する情報であって、上記委託先が少なくとも最終請求金額に関する情報を指定した業務報告情報を上記業務委託情報処理装置に対して送信する業務報告情報送信手段と、
を備えたことを特徴とする委託先用情報端末装置。
【請求項１３】
上記委託指示情報は、上記業務の上記委託元、上記業務の上記委託先、派遣先、上記業務の委託内容、請求金額、請求金額の受け取り方法、および、上記第１の契約口座への入金期日のうち少なくとも一つに関する情報を含むことを特徴とする請求項１２に記載の委託先用情報端末装置。
【請求項１４】
上記業務報告情報は、上記業務の実施日、上記業務の実施内容、および、上記第１の契約口座への入金日のうち少なくとも一つに関する情報をさらに含むことを特徴とする請求項１２に記載の委託先用情報端末装置。
【請求項１５】
業務委託に関する情報を処理する業務委託情報処理装置と、業務の委託元の委託元用情報端末装置と、上記業務の委託先の委託先用情報端末装置とを、ネットワークを介して通信可能に接続して構成された業務委託情報管理システムを用いて実行される業務委託情報管理方法であって、
上記委託元用情報端末装置において実行される、上記業務の上記委託先に対する委託指示情報を送信する委託指示情報送信ステップと、
上記業務委託情報処理装置において実行される、上記委託元用情報端末装置から上記業務の上記委託先に対する上記委託指示情報を受信する委託指示情報受信ステップと、
上記業務委託情報処理装置において実行される、上記委託指示情報受信ステップにて受信した上記委託指示情報を一意の委託情報ＩＤを付与して格納する委託指示情報格納ステップと、
上記委託情報ＩＤに関連付けられた上記委託指示情報を上記業務の上記委託先の上記委託先用情報端末装置に対して送信する委託指示情報送信ステップと、
上記委託先用情報端末装置において実行される、上記委託指示情報を受信する委託指示情報受信ステップと、
上記委託先用情報端末装置において実行される、上記委託指示情報受信ステップにて受信した上記委託情報ＩＤに関連付けられた上記委託指示情報に対応する業務報告に関する情報であって、上記委託先が少なくとも最終請求金額に関する情報を指定した業務報告情報を上記業務委託情報処理装置に対して送信する業務報告情報送信ステップと、
上記業務委託情報処理装置において実行される、上記委託先用情報端末装置から、上記委託情報ＩＤに関連付けられた上記委託指示情報に対応する業務報告に関する情報であって、上記委託先が少なくとも最終請求金額に関する情報を指定した業務報告情報を受信する業務報告情報受信ステップと、
上記業務委託情報処理装置において実行される、上記業務報告情報受信ステップにて受信した上記業務報告情報を上記委託情報ＩＤに関連付けて格納する業務報告情報格納ステップと、
上記業務委託情報処理装置において実行される、上記委託先が上記業務報告情報にて指定した上記最終請求金額を入金した第１の契約口座から、上記委託元が契約する第２の契約口座に当該最終請求金額を振り替えることを金融機関システムに依頼する振替依頼ステップと、
上記業務委託情報処理装置において実行される、上記振替依頼ステップにて振り替えが完了したことを通知する振替完了通知であって、上記委託情報ＩＤ、当該委託情報ＩＤに関連付けられた、上記委託指示情報のうち少なくとも一部、上記業務報告情報のうち少なくとも一部、および、上記第１の契約口座から上記第２の契約口座への振替日を含む当該振替完了通知を上記委託元の上記委託元用情報端末装置に対して送信する振替完了通知ステップと、
上記委託元用情報端末装置において実行される、上記委託指示情報に対応する上記振替完了通知を受信する振替完了通知受信ステップと、
を含み、
上記振替完了通知受信ステップにて受信した上記振替完了通知に基づき、上記委託元における上記最終請求金額の入金確認を可能とすることを特徴とする業務委託情報管理方法。
【請求項１６】
上記委託指示情報は、上記業務の上記委託元、上記業務の上記委託先、派遣先、上記業務の委託内容、請求金額、請求金額の受け取り方法、および、上記第１の契約口座への入金期日のうち少なくとも一つに関する情報を含むことを特徴とする請求項１５に記載の業務委託情報管理方法。
【請求項１７】
上記業務報告情報は、上記業務の実施日、上記業務の実施内容、および、上記第１の契約口座への入金日のうち少なくとも一つに関する情報をさらに含むことを特徴とする請求項１５に記載の業務委託情報管理方法。
【請求項１８】
請求項１５に記載の業務委託情報管理方法であって、
上記委託元用情報端末装置において実行される、上記振替完了通知受信ステップにて受信した上記振替完了通知のうちの少なくとも一部を、上記委託元の上記委託指示情報のうちの少なくとも一部と付け合わせて入金の消し込みを行う入金消込ステップ
を更に含むことを特徴とする業務委託情報管理方法。
【請求項１９】
請求項１における業務委託情報管理システムを構成する業務委託情報処理装置により実行されるプログラムであって、
上記委託元用情報端末装置から上記業務の上記委託先に対する委託指示情報を受信する委託指示情報受信ステップと、
上記委託指示情報受信ステップにて受信した上記委託指示情報を一意の委託情報ＩＤを付与して格納する委託指示情報格納ステップと、
上記委託情報ＩＤに関連付けられた上記委託指示情報を上記業務の上記委託先の上記委託先用情報端末装置に対して送信する委託指示情報送信ステップと、
上記委託先用情報端末装置から、上記委託情報ＩＤに関連付けられた上記委託指示情報に対応する業務報告に関する情報であって、上記委託先が少なくとも最終請求金額に関する情報を指定した業務報告情報を受信する業務報告情報受信ステップと、
上記業務報告情報受信ステップにて受信した上記業務報告情報を上記委託情報ＩＤに関連付けて格納する業務報告情報格納ステップと、
上記委託先が上記業務報告情報にて指定した上記最終請求金額を入金した第１の契約口座から、上記委託元が契約する第２の契約口座に当該最終請求金額を振り替えることを金融機関システムに依頼する振替依頼ステップと、
上記振替依頼ステップにて振り替えが完了したことを通知する振替完了通知であって、上記委託情報ＩＤ、当該委託情報ＩＤに関連付けられた、上記委託指示情報のうち少なくとも一部、上記業務報告情報のうち少なくとも一部、および、上記第１の契約口座から上記第２の契約口座への振替日を含む当該振替完了通知を上記委託元の上記委託元用情報端末装置に対して送信する振替完了通知ステップと、
を実行させるためのプログラム。
【請求項２０】
上記委託指示情報は、上記業務の上記委託元、上記業務の上記委託先、派遣先、上記業務の委託内容、請求金額、請求金額の受け取り方法、および、上記第１の契約口座への入金期日のうち少なくとも一つに関する情報を含むことを特徴とする請求項１９に記載のプログラム。
【請求項２１】
上記業務報告情報は、上記業務の実施日、上記業務の実施内容、および、上記第１の契約口座への入金日のうち少なくとも一つに関する情報をさらに含むことを特徴とする請求項１９に記載のプログラム。
【請求項２２】
上記請求項１９から２１のいずれか一つに記載されたプログラムを記録したことを特徴とするコンピュータ読み取り可能な記録媒体。
【請求項２３】
業務委託に関する情報を処理する業務委託情報処理装置と、業務の委託元の委託元用情報端末装置と、上記業務の委託先の委託先用情報端末装置とを、ネットワークを介して通信可能に接続して構成された業務委託情報管理システムであって、
上記業務委託情報処理装置は、
上記委託元用情報端末装置から上記業務の上記委託先に対する委託指示情報を受信して一意の委託情報ＩＤを付与して格納し、上記業務の上記委託先の上記委託先用情報端末装置に対して当該委託情報ＩＤに関連付けられた当該委託指示情報を送信する委託指示情報送信手段と、
上記委託先用情報端末装置から、上記委託情報ＩＤに関連付けられた上記委託指示情報に対応する業務報告に関する情報であって、上記委託先が少なくとも最終請求金額に関する情報を指定した業務報告情報を受信して当該委託情報ＩＤに関連付けて格納する業務報告情報格納手段と、
上記委託元用情報端末装置からの振込依頼指示に従って、上記委託先が上記業務報告情報にて指定した上記最終請求金額を入金した第１の契約口座から、上記委託元が契約する第２の契約口座に当該最終請求金額を振り替えることを金融機関システムに依頼する振替依頼手段と、
上記振替依頼手段による振り替えが完了したことを通知する振替完了通知であって、上記委託情報ＩＤ、当該委託情報ＩＤに関連付けられた、上記委託指示情報のうち少なくとも一部、上記業務報告情報のうち少なくとも一部、および、上記第１の契約口座から上記第２の契約口座への振替日を含む当該振替完了通知を上記委託元の上記委託元用情報端末装置に対して送信する振替完了通知手段と、
を備え、
上記委託元用情報端末装置は、
上記業務の上記委託先に対する上記委託指示情報を上記業務委託情報処理装置に対して送信する委託指示情報送信手段と、
上記業務委託情報処理装置に格納された上記業務報告情報を取得する業務報告情報取得手段と、
上記業務委託情報処理装置に対して、当該委託指示情報に対応する上記業務報告情報の上記最終請求金額についての上記振込依頼指示を送信する振込依頼指示手段と、
当該委託指示情報に対応する上記振替完了通知を受信する振替完了通知受信手段と、
を備え、
上記委託先用情報端末装置は、
上記業務委託情報処理装置から上記委託指示情報を受信する委託指示情報受信手段と、
上記委託指示情報受信手段により受信した上記委託情報ＩＤに関連付けられた上記委託指示情報に対応する業務報告に関する情報であって、上記委託先が少なくとも最終請求金額に関する情報を指定した業務報告情報を上記業務委託情報処理装置に対して送信する業務報告情報送信手段と、
を備え、
上記委託元用情報端末装置において上記振替完了通知受信手段により受信した上記振替完了通知に基づき、上記委託元における上記最終請求金額の入金確認を可能とすることを特徴とする業務委託情報管理システム。
【請求項２４】
上記委託元用情報端末装置は、
上記第１の契約口座の入金状況を上記金融機関システムに対して照会する入金状況照会手段、
をさらに備えたことを特徴とする請求項２３に記載の業務委託情報管理システム。
【請求項２５】
上記委託元用情報端末装置は、
上記入金状況照会手段により照会された上記第１の契約口座の入金状況と、上記業務報告情報取得手段により取得した上記業務報告情報の上記最終請求金額とを比較して、上記委託先による入金状況を確認する入金状況確認手段と、
をさらに備え、
上記振込依頼指示手段は、
上記入金状況確認手段により確認された上記業務の上記最終請求金額について、上記業務委託情報処理装置に対して上記振込依頼指示を送信すること、
を特徴とする請求項２３に記載の業務委託情報管理システム。
【請求項２６】
上記委託指示情報は、上記業務の上記委託元、上記業務の上記委託先、派遣先、上記業務の委託内容、請求金額、請求金額の受け取り方法、および、上記第１の契約口座への入金期日のうち少なくとも一つに関する情報を含むことを特徴とする請求項２３から２５のいずれか一つに記載の業務委託情報管理システム。
【請求項２７】
上記業務報告情報は、上記業務の実施日、上記業務の実施内容、および、上記第１の契約口座への入金日のうち少なくとも一つに関する情報をさらに含むことを特徴とする請求項２３から２６のいずれか一つに記載の業務委託情報管理システム。
【請求項２８】
請求項２３に記載の業務委託情報管理システムであって、
上記委託元用情報端末装置は、
上記振替完了通知受信手段により受信した上記振替完了通知のうちの少なくとも一部を、上記委託元の上記委託指示情報のうちの少なくとも一部と付け合わせて入金の消し込みを行う入金消込手段
を更に備えたことを特徴とする業務委託情報管理システム。
【請求項２９】
業務委託に関する情報を処理する業務委託情報処理装置と、業務の委託元の委託元用情報端末装置と、上記業務の委託先の委託先用情報端末装置とを、ネットワークを介して通信可能に接続して構成された業務委託情報管理システムを用いて実行される業務委託情報管理方法であって、
上記委託元用情報端末装置において実行される、上記業務の上記委託先に対する委託指示情報を送信する委託指示情報送信ステップと、
上記業務委託情報処理装置において実行される、上記委託元用情報端末装置から上記業務の上記委託先に対する上記委託指示情報を受信する委託指示情報受信ステップと、
上記業務委託情報処理装置において実行される、上記委託指示情報受信ステップにて受信した上記委託指示情報を一意の委託情報ＩＤを付与して格納する委託指示情報格納ステップと、
上記委託情報ＩＤに関連付けられた上記委託指示情報を上記業務の上記委託先の上記委託先用情報端末装置に対して送信する委託指示情報送信ステップと、
上記委託先用情報端末装置において実行される、上記委託指示情報を受信する委託指示情報受信ステップと、
上記委託先用情報端末装置において実行される、上記委託指示情報受信ステップにて受信した上記委託情報ＩＤに関連付けられた上記委託指示情報に対応する業務報告に関する情報であって、上記委託先が少なくとも最終請求金額に関する情報を指定した業務報告情報を上記業務委託情報処理装置に対して送信する業務報告情報送信ステップと、
上記業務委託情報処理装置において実行される、上記委託先用情報端末装置から、上記委託情報ＩＤに関連付けられた上記委託指示情報に対応する業務報告に関する情報であって、上記委託先が少なくとも最終請求金額に関する情報を指定した業務報告情報を受信する業務報告情報受信ステップと、
上記業務委託情報処理装置において実行される、上記業務報告情報受信ステップにて受信した上記業務報告情報を上記委託情報ＩＤに関連付けて格納する業務報告情報格納ステップと、
上記委託元用情報端末装置において実行される、上記業務委託情報処理装置に格納された上記業務報告情報を取得する業務報告情報取得ステップと、
上記委託元用情報端末装置において実行される、上記業務委託情報処理装置に対して、当該委託指示情報に対応する上記業務報告情報の上記最終請求金額についての上記振込依頼指示を送信する振込依頼指示ステップと、
上記業務委託情報処理装置において実行される、上記委託元用情報端末装置からの上記振込依頼指示に従って、上記委託先が上記業務報告情報にて指定した上記最終請求金額を入金した第１の契約口座から、上記委託元が契約する第２の契約口座に当該最終請求金額を振り替えることを金融機関システムに依頼する振替依頼ステップと、
上記業務委託情報処理装置において実行される、上記振替依頼ステップにて振り替えが完了したことを通知する振替完了通知であって、上記委託情報ＩＤ、当該委託情報ＩＤに関連付けられた、上記委託指示情報のうち少なくとも一部、上記業務報告情報のうち少なくとも一部、および、上記第１の契約口座から上記第２の契約口座への振替日を含む当該振替完了通知を上記委託元の上記委託元用情報端末装置に対して送信する振替完了通知ステップと、
上記委託元用情報端末装置において実行される、上記委託指示情報に対応する、上記委託情報ＩＤに対する上記振替完了通知を受信する振替完了通知受信ステップと、
を含み、
上記振替完了通知受信ステップにて受信した上記振替完了通知に基づき、上記委託元における上記最終請求金額の入金確認を可能とすることを特徴とする業務委託情報管理方法。
【請求項３０】
上記委託元用情報端末装置において実行される、上記第１の契約口座の入金状況を上記金融機関システムに対して照会する入金状況照会ステップ、
をさらに含むことを特徴とする請求項２９に記載の業務委託情報管理方法。
【請求項３１】
上記入金状況照会ステップにて照会された上記第１の契約口座の入金状況と、上記業務報告情報取得ステップにて取得した上記業務報告情報の上記最終請求金額とを比較して、上記委託先による入金状況を確認する入金状況確認ステップと、
をさらに含み、
上記振込依頼指示ステップは、
上記入金状況確認ステップにて確認された上記業務の上記最終請求金額について、上記業務委託情報処理装置に対して上記振込依頼指示を送信すること、
を特徴とする請求項２９に記載の業務委託情報管理方法。
【請求項３２】
上記委託指示情報は、上記業務の上記委託元、上記業務の上記委託先、派遣先、上記業務の委託内容、請求金額、請求金額の受け取り方法、および、上記第１の契約口座への入金期日のうち少なくとも一つに関する情報を含むことを特徴とする請求項２９から３１のいずれか一つに記載の業務委託情報管理方法。
【請求項３３】
上記業務報告情報は、上記業務の実施日、上記業務の実施内容、および、上記第１の契約口座への入金日のうち少なくとも一つに関する情報をさらに含むことを特徴とする請求項２９から３２のいずれか一つに記載の業務委託情報管理方法。
【請求項３４】
請求項２９に記載の業務委託情報管理方法であって、
上記委託元用情報端末装置において実行される、上記振替完了通知を受信ステップにて受信した上記振替完了通知のうちの少なくとも一部を、上記委託元の上記委託指示情報のうちの少なくとも一部と付け合わせて入金の消し込みを行う入金消込ステップ
を更に含むことを特徴とする業務委託情報管理方法。
【発明の詳細な説明】
【０００１】
【発明の属する技術分野】
本発明は、業務委託情報管理システム、業務委託情報処理装置、委託元用情報端末装置、委託先用情報端末装置、業務委託情報管理方法、プログラム、および、記録媒体に関し、特に、業務委託内容を一括管理する業務委託情報管理システム、業務委託情報処理装置、委託元用情報端末装置、委託先用情報端末装置、業務委託情報管理方法、プログラム、および、記録媒体に関する。
【０００２】
【従来の技術】
従来より、企業等の委託元が、派遣社員等の委託先に対して業務を委託するサービスがある。例えば、このような業務委託を行うサービスとしては、例えば、ピアノの調律サービスや、各種教室のインストラクター派遣サービスや、その他の各種の人材派遣サービス等が挙げられる。
【０００３】
ここで、委託先の派遣社員等は、企業等の委託元からファックス装置や電子メールや郵送等により送付された業務委託書に基づいて、委託された業務（例えば、派遣先のピアノの調律や各種教室の講義等）を行い、料金を徴収して委託先に送金する必要がある。この場合の送金手段としては、銀行などの金融機関の振込みサービスを用いて委託元の収納用の契約口座に入金することが一般的に行われている。
【０００４】
【発明が解決しようとする課題】
しかしながら、このような業務委託サービスは、以下の構造上の基本的問題点を有していた。
【０００５】
まず、企業等の委託元から業務委託書の送付により派遣社員等の委託先に業務の指示を行っているが、指示の徹底や進捗の確認などに人手と時間と費用がかかるという問題点がある。
【０００６】
また、委託先では、業務を顧客に対して遂行し、顧客から徴収した料金を委託元の収納用の契約口座に振り込まなければならないが、委託業務の内容によっては銀行の営業時間内に振り込めない場合も多く、不便であるという問題点がある。すなわち、金融機関の振込みサービスは一般に金融機関の営業時間内（９時〜１５時等）しか提供されないため、委託先では平日の昼間帯に金融機関に必ず行く必要があるため委託業務の遂行に支障を来たす場合も多く、また、夜間に料金を集金したときには翌日まで料金の振込を待つ必要があった。
【０００７】
また、自己の契約口座に委託先から料金の振込みを受けた委託元は、どの業務に対する振込みであるかを確認することが困難であり、入金の消し込み作業が煩雑であるという問題点がある。すなわち、金融機関の振込みサービスでは、通常、振込者と振込金額しかわからないため、複数の業務を委託先に委託した場合には、委託元においてどの委託業務に対する振込かを特定し帳簿上で入金の消し込みを行うことが困難であった。
【０００８】
このように、数々の問題点を有しており、その結果、業務の委託元および委託先のいずれにとっても、利便性が悪く、また、利用効率が悪いものであった。
本発明は上記問題点に鑑みてなされたもので、業務委託内容を一括管理し、委託元における入金確認および入金の消し込み作業を簡略化することのできる、業務委託情報管理システム、業務委託情報処理装置、委託元用情報端末装置、委託先用情報端末装置、業務委託情報管理方法、プログラム、および、記録媒体を提供することを目的としている。
【０００９】
【課題を解決するための手段】
このような目的を達成するため、請求項１に記載の業務委託情報管理システムは、業務委託に関する情報を処理する業務委託情報処理装置と、業務の委託元の委託元用情報端末装置と、上記業務の委託先の委託先用情報端末装置とを、ネットワークを介して通信可能に接続して構成された業務委託情報管理システムであって、上記業務委託情報処理装置は、上記委託元用情報端末装置から上記業務の上記委託先に対する委託指示情報を受信して一意の委託情報ＩＤを付与して格納し、上記業務の上記委託先の上記委託先用情報端末装置に対して当該委託情報ＩＤに関連付けられた当該委託指示情報を送信する委託指示情報送信手段と、上記委託先用情報端末装置から、上記委託情報ＩＤに関連付けられた上記委託指示情報に対応する業務報告に関する情報であって、上記委託先が少なくとも最終請求金額に関する情報を指定した業務報告情報を受信して当該委託情報ＩＤに関連付けて格納する業務報告情報格納手段と、上記委託先が上記業務報告情報にて指定した上記最終請求金額を入金した第１の契約口座から、上記委託元が契約する第２の契約口座に当該最終請求金額を振り替えることを金融機関システムに依頼する振替依頼手段と、上記振替依頼手段による振り替えが完了したことを通知する振替完了通知であって、上記委託情報ＩＤ、当該委託情報ＩＤに関連付けられた、上記委託指示情報のうち少なくとも一部、上記業務報告情報のうち少なくとも一部、および、上記第１の契約口座から上記第２の契約口座への振替日を含む当該振替完了通知を上記委託元の上記委託元用情報端末装置に対して送信する振替完了通知手段と、を備え、上記委託元用情報端末装置は、上記業務の上記委託先に対する上記委託指示情報を上記業務委託情報処理装置に対して送信する委託指示情報送信手段と、当該委託指示情報に対応する上記振替完了通知を受信する振替完了通知受信手段と、を備え、上記委託先用情報端末装置は、上記業務委託情報処理装置から上記委託指示情報を受信する委託指示情報受信手段と、上記委託指示情報受信手段にて受信した上記委託情報ＩＤに関連付けられた上記委託指示情報に対応する業務報告に関する情報であって、上記委託先が少なくとも最終請求金額に関する情報を指定した業務報告情報を上記業務委託情報処理装置に対して送信する業務報告情報送信手段と、を備え、上記委託元用情報端末装置において上記振替完了通知受信手段により受信した上記振替完了通知に基づき、上記委託元における上記最終請求金額の入金確認を可能とすることを特徴とする。
【００１０】
このシステムによれば、業務委託情報処理装置は、委託元用情報端末装置から業務の委託先に対する委託指示情報を受信し、受信した委託指示情報を格納し、委託指示情報を業務の委託先の委託先用情報端末装置に対して送信し（例えば、電子メールの形態で送信してもよく、また、ＷＥＢページの形態で委託先用情報端末装置からのページ要求指示により送信してもよく、その他の送信手段により送信してもよい）、委託先用情報端末装置から委託指示情報に対応する業務報告に関する情報であって、委託先が少なくとも最終請求金額に関する情報を指定した業務報告情報を受信し、受信した業務報告情報を格納し、委託先が業務報告情報にて指定した最終請求金額を入金した第１の契約口座から、委託元が契約する第２の契約口座に当該最終請求金額を振り替えることを金融機関システムに依頼し、振り替えが完了したことを通知する振替完了通知を委託元の委託元用情報端末装置に対して送信する（例えば、電子メールの形態で送信してもよく、また、ＷＥＢページの形態で委託元用情報端末装置からのページ要求指示により送信してもよく、その他の送信手段により送信してもよい）ので、業務委託の進捗管理から収納管理までを本業務委託情報処理装置により一括管理することができるようになる。
【００１１】
すなわち、委託元が委託指示を出した業務について、適宜、業務委託情報処理装置に格納されている情報をＷＥＢページ上で参照等することにより、進捗や入金の管理を行うことができるようになる。
【００１２】
また、本システムによれば、委託先が顧客から受け取った料金などの最終請求金額を入金する第１の契約口座と、委託元が契約する収納用の第２の契約口座を分けているので、委託先は、自己の管理する第１の契約口座に料金等を入金することで済むようになる（すなわち、委託先が銀行等に振込サービス提供時間内（通常は９時から１５時）にわざわざ出向いて委託元の契約口座に料金を振り込む必要はない）。ここで、キャッシュカードなどによる契約口座への入金（すなわち、契約口座への預け入れ）は、金融機関は、一般的に手数料無料でかつ年中無休で２４時間、ＡＴＭ装置等により駅やスーパーやコンビニエンスストア等でも行うことができる。従って、第１の契約口座を委託先が自己で管理する口座にすることにより、第１の契約口座への入金を簡便に行うことが可能になるため、委託先において入金作業が委託業務の遂行に支障を来たす場合も少なくなり、また、夜間に料金を集金したときでも直ちに料金の契約口座に入金を済ませることができるようになる。
【００１３】
そして、委託元が業務報告情報を受信後に、委託先が業務報告情報にて指定した最終請求金額を入金した第１の契約口座から、委託元が契約する第２の契約口座に当該最終請求金額を振り替えることを金融機関システムに依頼することにより、委託業務が完了した案件について委託元の指示により委託元の契約口座（第２の契約口座）に振替を行うことができるようになる。
【００１４】
ここで、委託先が業務報告情報にて指定した最終請求金額を入金した第１の契約口座は、委託先の個人の契約口座でもよく、また、委託元（委託元の配下の組織を含む）の契約口座でもよい。すなわち、委託先が委託元の営業所単位で契約した契約口座等（第１の契約口座）に一旦振り込んだ後、委託元の契約口座（第２の契約口座）に振り替えてもよい。これにより、委託元が営業所単位で第１の契約口座の入金を確認してから、金融機関システムに対して本社が管理する第２の契約口座に振替依頼を行うことができるようになる。
【００１５】
また、本システムによれば、委託元は、業務委託情報処理装置から振替完了通知を受信することにより、委託元の契約する第２の契約口座に入金された料金がどの委託業務に関する料金であるかが明確に把握できるようになり、入金の消し込み作業を極めて効率的に行うことができるようになる。
【００１６】
ここで、委託元における入金の消し込みは、担当者が振替完了通知の内容と請求に関する帳簿とを確認して入金された請求について消し込みを行うことの他、委託元の業務管理システムにおいて受信した振替完了通知のデータを取り込み電子的に請求に関する帳票データ等と付き合わせて入金の消し込みを行うことなどを含み、各企業などにおける入金の消し込みのあらゆる態様を想定したものである。
【００１７】
また、本システムによれば、委託先用情報端末装置は、委託指示情報を受信し、受信した委託指示情報に対応する業務報告に関する情報であって、委託先が少なくとも最終請求金額に関する情報を指定した業務報告情報を業務委託情報処理装置に対して送信するので、業務報告をリアルタイムに送信することができるようになる。また、委託先は、業務完了後、最終請求金額を銀行や郵貯などの金融機関システムのＡＴＭなどを用いて第１の契約口座に振り込むことにより、入金作業を簡略化することができるようになる。
【００１８】
すなわち、本システムによれば、業務委託内容を一括管理することができるようになり、また、委託元における入金確認および入金の消し込み作業を簡略化することができるようになる。
【００１９】
また、請求項２に記載の業務委託情報管理システムは、請求項１に記載の業務委託情報管理システムにおいて、上記委託指示情報は、上記業務の上記委託元、上記業務の上記委託先、派遣先、上記業務の委託内容、請求金額、請求金額の受け取り方法、および、上記第１の契約口座への入金期日のうち少なくとも一つに関する情報を含むことを特徴とする。
【００２０】
これは委託指示情報の一例を一層具体的に示すものである。このシステムによれば、委託指示情報は、業務の委託元、業務の委託先、派遣先、業務の委託内容、請求金額、請求金額の受け取り方法、および、第１の契約口座への入金期日のうち少なくとも一つに関する情報を含むので、これらの情報を一括管理することができ、かつ、確実に委託先に送信することができるようになる。
【００２１】
また、請求項３に記載の業務委託情報管理システムは、請求項１に記載の業務委託情報管理システムにおいて、上記業務報告情報は、上記業務の実施日、上記業務の実施内容、および、上記第１の契約口座への入金日のうち少なくとも一つに関する情報をさらに含むことを特徴とする。
【００２２】
これは業務報告情報の一例を一層具体的に示すものである。このシステムによれば、業務報告情報は、業務の実施日、業務の実施内容、および、第１の契約口座への入金日のうち少なくとも一つに関する情報をさらに含むので、これらの情報を一括管理することができ、かつ、確実に委託元に送信することができるようになる。
【００２３】
また、請求項４に記載の業務委託情報管理システムは、請求項１に記載の業務委託情報管理システムであって、上記委託元用情報端末装置は、上記振替完了通知受信手段により受信した上記振替完了通知のうちの少なくとも一部を、上記委託元の上記委託指示情報のうちの少なくとも一部と付け合わせて入金の消し込みを行う入金消込手段を更に備えたことを特徴とする。
【００２４】
このシステムによれば、受信した振替完了通知のうちの少なくとも一部を、委託元の委託指示情報のうちの少なくとも一部と付け合わせて入金の消し込みを行うので、委託元は、業務委託情報処理装置から振替完了通知を受信することにより、委託元の契約する第２の契約口座に入金された料金がどの委託業務に関する料金であるかが明確に把握できるようになり、入金の消し込み作業を極めて効率的に行うことができるようになる。
【００２５】
また、本発明は業務委託情報処理装置に関するものであり、請求項５に記載の業務委託情報処理装置は、請求項１における業務委託情報管理システムを構成する業務委託情報処理装置であって、上記委託元用情報端末装置から上記業務の上記委託先に対する委託指示情報を受信する委託指示情報受信手段と、上記委託指示情報受信手段により受信した上記委託指示情報を一意の委託情報ＩＤを付与して格納する委託指示情報格納手段と、上記委託情報ＩＤに関連付けられた上記委託指示情報を上記業務の上記委託先の上記委託先用情報端末装置に対して送信する委託指示情報送信手段と、上記委託先用情報端末装置から、上記委託情報ＩＤに関連付けられた上記委託指示情報に対応する業務報告に関する情報であって、上記委託先が少なくとも最終請求金額に関する情報を指定した業務報告情報を受信する業務報告情報受信手段と、上記業務報告情報受信手段により受信した上記業務報告情報を上記委託情報ＩＤに関連付けて格納する業務報告情報格納手段と、上記委託先が上記業務報告情報にて指定した上記最終請求金額を入金した第１の契約口座から、上記委託元が契約する第２の契約口座に当該最終請求金額を振り替えることを金融機関システムに依頼する振替依頼手段と、上記振替依頼手段による振り替えが完了したことを通知する振替完了通知であって、上記委託情報ＩＤ、当該委託情報ＩＤに関連付けられた、上記委託指示情報のうち少なくとも一部、上記業務報告情報のうち少なくとも一部、および、上記第１の契約口座から上記第２の契約口座への振替日を含む当該振替完了通知を上記委託元の上記委託元用情報端末装置に対して送信する振替完了通知手段と、を備えたことを特徴とする。
【００２６】
この装置によれば、委託元用情報端末装置から業務の委託先に対する委託指示情報を受信し、受信した委託指示情報を格納し、委託指示情報を業務の委託先の委託先用情報端末装置に対して送信し、委託先用情報端末装置から委託指示情報に対応する業務報告に関する情報であって、委託先が少なくとも最終請求金額に関する情報を指定した業務報告情報を受信し、受信した業務報告情報を格納し、委託先が業務報告情報にて指定した最終請求金額を入金した第１の契約口座から、委託元が契約する第２の契約口座に当該最終請求金額を振り替えることを金融機関システムに依頼し、振り替えが完了したことを通知する振替完了通知を委託元の委託元用情報端末装置に対して送信する。
これにより、業務委託内容を一括管理することができ、また、委託元における入金確認および入金の消し込み作業を簡略化することができるようになる。
【００２７】
また、請求項６に記載の業務委託情報処理装置は、請求項５に記載の業務委託情報処理装置において、上記委託指示情報は、上記業務の上記委託元、上記業務の上記委託先、派遣先、上記業務の委託内容、請求金額、請求金額の受け取り方法、および、上記第１の契約口座への入金期日のうち少なくとも一つに関する情報を含むことを特徴とする。
【００２８】
これは委託指示情報の一例を一層具体的に示すものである。この装置によれば、委託指示情報は、業務の委託元、業務の委託先、派遣先、業務の委託内容、請求金額、請求金額の受け取り方法、および、第１の契約口座への入金期日のうち少なくとも一つに関する情報を含むので、これらの情報を一括管理することができ、かつ、確実に委託先に送信することができるようになる。
【００２９】
また、請求項７に記載の業務委託情報処理装置は、請求項５に記載の業務委託情報処理装置において、上記業務報告情報は、上記業務の実施日、上記業務の実施内容、および、上記第１の契約口座への入金日のうち少なくとも一つに関する情報をさらに含むことを特徴とする。
【００３０】
これは業務報告情報の一例を一層具体的に示すものである。この装置によれば、業務報告情報は、業務の実施日、業務の実施内容、および、第１の契約口座への入金日のうち少なくとも一つに関する情報をさらに含むので、これらの情報を一括管理することができ、かつ、確実に委託元に送信することができるようになる。
【００３１】
また、上記振替完了通知は、上記委託指示情報のうち少なくとも一部、上記業務報告情報のうち少なくとも一部、および、上記第１の契約口座から上記第２の契約口座への振替日のうち少なくとも一つに関する情報を含むことを特徴とする。
【００３２】
これは振替完了通知の一例を一層具体的に示すものである。この装置によれば、振替完了通知は、委託指示情報のうち少なくとも一部、業務報告情報のうち少なくとも一部、および、第１の契約口座から第２の契約口座への振替日のうち少なくとも一つに関する情報を含むので、これらの情報を一括管理することができ、かつ、確実に委託元に送信することができるようになる。
【００３３】
また、本発明は委託元用情報端末装置に関するものであり、請求項８に記載の委託元用情報端末装置は、請求項１における業務委託情報管理システムを構成する委託元用情報端末装置であって、上記業務の上記委託先に対する上記委託指示情報を上記業務委託情報処理装置に対して送信する委託指示情報送信手段と、当該委託指示情報に対応する上記振替完了通知を受信する振替完了通知受信手段と、を備え、上記振替完了通知受信手段により受信した上記振替完了通知に基づき、上記委託元における上記最終請求金額の入金確認を可能とすることを特徴とする。
【００３４】
この装置によれば、業務の委託先に対する委託指示情報を業務委託情報処理装置に対して送信し、委託先が業務報告情報にて指定した最終請求金額を入金した第１の契約口座から、委託元が契約する第２の契約口座に当該最終請求金額の振り替えが完了したことを通知する振替完了通知を業務委託情報処理装置から受信して入金の消し込みを行う。
これにより、業務委託内容を一括管理することができ、また、委託元における入金確認および入金の消し込み作業を簡略化することができるようになる。
【００３５】
また、請求項９に記載の委託元用情報端末装置は、請求項８に記載の委託元用情報端末装置において、上記委託指示情報は、上記業務の上記委託元、上記業務の上記委託先、派遣先、上記業務の委託内容、請求金額、請求金額の受け取り方法、および、上記第１の契約口座への入金期日のうち少なくとも一つに関する情報を含むことを特徴とする。
【００３６】
これは委託指示情報の一例を一層具体的に示すものである。この装置によれば、委託指示情報は、業務の委託元、業務の委託先、派遣先、業務の委託内容、請求金額、請求金額の受け取り方法、および、第１の契約口座への入金期日のうち少なくとも一つに関する情報を含むので、これらの情報を一括管理することができ、かつ、確実に委託先に送信することができるようになる。
【００３７】
また、請求項１０に記載の委託元用情報端末装置は、請求項８に記載の委託元用情報端末装置において、上記業務報告情報は、上記業務の実施日、上記業務の実施内容、および、上記第１の契約口座への入金日のうち少なくとも一つに関する情報をさらに含むことを特徴とする。
【００３８】
これは業務報告情報の一例を一層具体的に示すものである。この装置によれば、業務報告情報は、業務の実施日、業務の実施内容、および、第１の契約口座への入金日のうち少なくとも一つに関する情報をさらに含むので、これらの情報を一括管理することができ、かつ、確実に委託元に送信することができるようになる。
【００３９】
また、請求項１１に記載の委託元用情報端末装置は、請求項８に記載の委託元用情報端末装置であって、上記振替完了通知受信手段により受信した上記振替完了通知のうちの少なくとも一部を、上記委託元の上記委託指示情報のうちの少なくとも一部と付け合わせて入金の消し込みを行う入金消込手段を更に備えたことを特徴とする。
【００４０】
この装置によれば、受信した振替完了通知のうちの少なくとも一部を、委託元の委託指示情報のうちの少なくとも一部と付け合わせて入金の消し込みを行うので、委託元は、業務委託情報処理装置から振替完了通知を受信することにより、委託元の契約する第２の契約口座に入金された料金がどの委託業務に関する料金であるかが明確に把握できるようになり、入金の消し込み作業を極めて効率的に行うことができるようになる。
【００４１】
また、本発明は委託先用情報端末装置に関するものであり、請求項１２に記載の委託先用情報端末装置は、請求項１における業務委託情報管理システムを構成する委託先用情報端末装置であって、上記委託指示情報を上記業務委託情報処理装置から受信する委託指示情報受信手段と、上記委託指示情報受信手段により受信した上記委託情報ＩＤに関連付けられた上記委託指示情報に対応する業務報告に関する情報であって、上記委託先が少なくとも最終請求金額に関する情報を指定した業務報告情報を上記業務委託情報処理装置に対して送信する業務報告情報送信手段と、を備えたことを特徴とする。
【００４２】
この装置によれば、委託指示情報を業務委託情報処理装置から受信し、受信した委託指示情報に対応する業務報告に関する情報であって、委託先が少なくとも最終請求金額に関する情報を指定した業務報告情報を業務委託情報処理装置に対して送信し、委託元用情報端末装置は委託先が業務報告情報にて指定した最終請求金額を入金した第１の契約口座から、委託元が契約する第２の契約口座に当該最終請求金額の振り替えが完了したことを通知する振替完了通知を業務委託情報処理装置から受信して入金の消し込みを行う。
これにより、業務委託内容を一括管理することができ、また、委託元における入金確認および入金の消し込み作業を簡略化することができるようになる。
【００４３】
また、請求項１３に記載の委託先用情報端末装置は、請求項１２に記載の委託先用情報端末装置において、上記委託指示情報は、上記業務の上記委託元、上記業務の上記委託先、派遣先、上記業務の委託内容、請求金額、請求金額の受け取り方法、および、上記第１の契約口座への入金期日のうち少なくとも一つに関する情報を含むことを特徴とする。
【００４４】
これは委託指示情報の一例を一層具体的に示すものである。この装置によれば、委託指示情報は、業務の委託元、業務の委託先、派遣先、業務の委託内容、請求金額、請求金額の受け取り方法、および、第１の契約口座への入金期日のうち少なくとも一つに関する情報を含むので、これらの情報を一括管理することができ、かつ、確実に委託先に送信することができるようになる。
【００４５】
また、請求項１４に記載の委託先用情報端末装置は、請求項１２に記載の委託先用情報端末装置において、上記業務報告情報は、上記業務の実施日、上記業務の実施内容、および、上記第１の契約口座への入金日のうち少なくとも一つに関する情報をさらに含むことを特徴とする。
【００４６】
これは業務報告情報の一例を一層具体的に示すものである。この装置によれば、業務報告情報は、業務の実施日、業務の実施内容、および、第１の契約口座への入金日のうち少なくとも一つに関する情報をさらに含むので、これらの情報を一括管理することができ、かつ、確実に委託元に送信することができるようになる。
【００４７】
また、上記振替完了通知は、上記委託指示情報のうち少なくとも一部、上記業務報告情報のうち少なくとも一部、および、上記第１の契約口座から上記第２の契約口座への振替日のうち少なくとも一つに関する情報を含むことを特徴とする。
【００４８】
これは振替完了通知の一例を一層具体的に示すものである。この装置によれば、振替完了通知は、委託指示情報のうち少なくとも一部、業務報告情報のうち少なくとも一部、および、第１の契約口座から第２の契約口座への振替日のうち少なくとも一つに関する情報を含むので、これらの情報を一括管理することができ、かつ、確実に委託元に送信することができるようになる。
【００４９】
また、本発明は業務委託情報管理方法に関するものであり、請求項１５に記載の業務委託情報管理方法は、業務委託に関する情報を処理する業務委託情報処理装置と、業務の委託元の委託元用情報端末装置と、上記業務の委託先の委託先用情報端末装置とを、ネットワークを介して通信可能に接続して構成された業務委託情報管理システムを用いて実行される業務委託情報管理方法であって、上記委託元用情報端末装置において実行される、上記業務の上記委託先に対する委託指示情報を送信する委託指示情報送信ステップと、上記業務委託情報処理装置において実行される、上記委託元用情報端末装置から上記業務の上記委託先に対する上記委託指示情報を受信する委託指示情報受信ステップと、上記業務委託情報処理装置において実行される、上記委託指示情報受信ステップにて受信した上記委託指示情報を一意の委託情報ＩＤを付与して格納する委託指示情報格納ステップと、上記委託情報ＩＤに関連付けられた上記委託指示情報を上記業務の上記委託先の上記委託先用情報端末装置に対して送信する委託指示情報送信ステップと、上記委託先用情報端末装置において実行される、上記委託指示情報を受信する委託指示情報受信ステップと、上記委託先用情報端末装置において実行される、上記委託指示情報受信ステップにて受信した上記委託情報ＩＤに関連付けられた上記委託指示情報に対応する業務報告に関する情報であって、上記委託先が少なくとも最終請求金額に関する情報を指定した業務報告情報を上記業務委託情報処理装置に対して送信する業務報告情報送信ステップと、上記業務委託情報処理装置において実行される、上記委託先用情報端末装置から、上記委託情報ＩＤに関連付けられた上記委託指示情報に対応する業務報告に関する情報であって、上記委託先が少なくとも最終請求金額に関する情報を指定した業務報告情報を受信する業務報告情報受信ステップと、上記業務委託情報処理装置において実行される、上記業務報告情報受信ステップにて受信した上記業務報告情報を上記委託情報ＩＤに関連付けて格納する業務報告情報格納ステップと、上記業務委託情報処理装置において実行される、上記委託先が上記業務報告情報にて指定した上記最終請求金額を入金した第１の契約口座から、上記委託元が契約する第２の契約口座に当該最終請求金額を振り替えることを金融機関システムに依頼する振替依頼ステップと、上記業務委託情報処理装置において実行される、上記振替依頼ステップにて振り替えが完了したことを通知する振替完了通知であって、上記委託情報ＩＤ、当該委託情報ＩＤに関連付けられた、上記委託指示情報のうち少なくとも一部、上記業務報告情報のうち少なくとも一部、および、上記第１の契約口座から上記第２の契約口座への振替日を含む当該振替完了通知を上記委託元の上記委託元用情報端末装置に対して送信する振替完了通知ステップと、上記委託元用情報端末装置において実行される、上記委託指示情報に対応する上記振替完了通知を受信する振替完了通知受信ステップと、を含み、上記振替完了通知受信ステップにて受信した上記振替完了通知に基づき、上記委託元における上記最終請求金額の入金確認を可能とすることを特徴とする。
【００５０】
この方法によれば、委託元用情報端末装置において、業務の委託先に対する委託指示情報を送信し、業務委託情報処理装置において、委託元用情報端末装置から業務の委託先に対する委託指示情報を受信し、業務委託情報処理装置において、委託指示情報受信ステップにて受信した委託指示情報を格納し、委託指示情報を業務の委託先の委託先用情報端末装置に対して送信し、委託先用情報端末装置において、委託指示情報を受信し、委託先用情報端末装置において、受信した委託指示情報に対応する業務報告に関する情報であって、委託先が少なくとも最終請求金額に関する情報を指定した業務報告情報を業務委託情報処理装置に対して送信し、業務委託情報処理装置において、委託先用情報端末装置から委託指示情報に対応する業務報告に関する情報であって、委託先が少なくとも最終請求金額に関する情報を指定した業務報告情報を受信し、業務委託情報処理装置において、受信した業務報告情報を格納し、業務委託情報処理装置において、委託先が業務報告情報にて指定した最終請求金額を入金した第１の契約口座から、委託元が契約する第２の契約口座に当該最終請求金額を振り替えることを金融機関システムに依頼し、業務委託情報処理装置において、振り替えが完了したことを通知する振替完了通知を委託元の委託元用情報端末装置に対して送信し、委託元用情報端末装置において、振替完了通知を受信して入金の消し込みを行う。
これにより、業務委託内容を一括管理することができ、また、委託元における入金確認および入金の消し込み作業を簡略化することができるようになる。
【００５１】
また、請求項１６に記載の業務委託情報管理方法は、請求項１５に記載の業務委託情報管理方法において、上記委託指示情報は、上記業務の上記委託元、上記業務の上記委託先、派遣先、上記業務の委託内容、請求金額、請求金額の受け取り方法、および、上記第１の契約口座への入金期日のうち少なくとも一つに関する情報を含むことを特徴とする。
【００５２】
これは委託指示情報の一例を一層具体的に示すものである。この方法によれば、委託指示情報は、業務の委託元、業務の委託先、派遣先、業務の委託内容、請求金額、請求金額の受け取り方法、および、第１の契約口座への入金期日のうち少なくとも一つに関する情報を含むので、これらの情報を一括管理することができ、かつ、確実に委託先に送信することができるようになる。
【００５３】
また、請求項１７に記載の業務委託情報管理方法は、請求項１５に記載の業務委託情報管理方法において、上記業務報告情報は、上記業務の実施日、上記業務の実施内容、および、上記第１の契約口座への入金日のうち少なくとも一つに関する情報をさらに含むことを特徴とする。
【００５４】
これは業務報告情報の一例を一層具体的に示すものである。この方法によれば、業務報告情報は、業務の実施日、業務の実施内容、および、第１の契約口座への入金日のうち少なくとも一つに関する情報をさらに含むので、これらの情報を一括管理することができ、かつ、確実に委託元に送信することができるようになる。
【００５５】
また、請求項１８に記載の業務委託情報管理方法は、請求項１５に記載の業務委託情報管理方法であって、上記委託元用情報端末装置において実行される、上記振替完了通知受信ステップにて受信した上記振替完了通知のうちの少なくとも一部を、上記委託元の上記委託指示情報のうちの少なくとも一部と付け合わせて入金の消し込みを行う入金消込ステップを更に含むことを特徴とする。
【００５６】
この方法によれば、受信した振替完了通知のうちの少なくとも一部を、委託元の委託指示情報のうちの少なくとも一部と付け合わせて入金の消し込みを行うので、委託元は、業務委託情報処理装置から振替完了通知を受信することにより、委託元の契約する第２の契約口座に入金された料金がどの委託業務に関する料金であるかが明確に把握できるようになり、入金の消し込み作業を極めて効率的に行うことができるようになる。
【００５７】
また、本発明はプログラムに関するものであり、請求項１９に記載のプログラムは、請求項１における業務委託情報管理システムを構成する業務委託情報処理装置により実行されるプログラムであって、上記委託元用情報端末装置から上記業務の上記委託先に対する委託指示情報を受信する委託指示情報受信ステップと、上記委託指示情報受信ステップにて受信した上記委託指示情報を一意の委託情報ＩＤを付与して格納する委託指示情報格納ステップと、上記委託情報ＩＤに関連付けられた上記委託指示情報を上記業務の上記委託先の上記委託先用情報端末装置に対して送信する委託指示情報送信ステップと、上記委託先用情報端末装置から、上記委託情報ＩＤに関連付けられた上記委託指示情報に対応する業務報告に関する情報であって、上記委託先が少なくとも最終請求金額に関する情報を指定した業務報告情報を受信する業務報告情報受信ステップと、上記業務報告情報受信ステップにて受信した上記業務報告情報を上記委託情報ＩＤに関連付けて格納する業務報告情報格納ステップと、上記委託先が上記業務報告情報にて指定した上記最終請求金額を入金した第１の契約口座から、上記委託元が契約する第２の契約口座に当該最終請求金額を振り替えることを金融機関システムに依頼する振替依頼ステップと、上記振替依頼ステップにて振り替えが完了したことを通知する振替完了通知であって、上記委託情報ＩＤ、当該委託情報ＩＤに関連付けられた、上記委託指示情報のうち少なくとも一部、上記業務報告情報のうち少なくとも一部、および、上記第１の契約口座から上記第２の契約口座への振替日を含む当該振替完了通知を上記委託元の上記委託元用情報端末装置に対して送信する振替完了通知ステップと、を実行させることを特徴とする。
【００５８】
このプログラムによれば、委託元用情報端末装置から業務の委託先に対する委託指示情報を受信し、受信した委託指示情報を格納し、委託指示情報を業務の委託先の委託先用情報端末装置に対して送信し、委託先用情報端末装置から委託指示情報に対応する業務報告に関する情報であって、委託先が少なくとも最終請求金額に関する情報を指定した業務報告情報を受信し、受信した業務報告情報を格納し、委託先が業務報告情報にて指定した最終請求金額を入金した第１の契約口座から、委託元が契約する第２の契約口座に当該最終請求金額を振り替えることを金融機関システムに依頼し、振り替えが完了したことを通知する振替完了通知を委託元の委託元用情報端末装置に対して送信する。
これにより、業務委託内容を一括管理することができ、また、委託元における入金確認および入金の消し込み作業を簡略化することができるようになる。
【００５９】
また、請求項２０に記載のプログラムは、請求項１９に記載のプログラムにおいて、上記委託指示情報は、上記業務の上記委託元、上記業務の上記委託先、派遣先、上記業務の委託内容、請求金額、請求金額の受け取り方法、および、上記第１の契約口座への入金期日のうち少なくとも一つに関する情報を含むことを特徴とする。
【００６０】
これは委託指示情報の一例を一層具体的に示すものである。このプログラムによれば、委託指示情報は、業務の委託元、業務の委託先、派遣先、業務の委託内容、請求金額、請求金額の受け取り方法、および、第１の契約口座への入金期日のうち少なくとも一つに関する情報を含むので、これらの情報を一括管理することができ、かつ、確実に委託先に送信することができるようになる。
【００６１】
また、請求項２１に記載のプログラムは、請求項１９に記載のプログラムにおいて、上記業務報告情報は、上記業務の実施日、上記業務の実施内容、および、上記第１の契約口座への入金日のうち少なくとも一つに関する情報をさらに含むことを特徴とする。
【００６２】
これは業務報告情報の一例を一層具体的に示すものである。このプログラムによれば、業務報告情報は、業務の実施日、業務の実施内容、および、第１の契約口座への入金日のうち少なくとも一つに関する情報をさらに含むので、これらの情報を一括管理することができ、かつ、確実に委託元に送信することができるようになる。
【００６３】
また、上記振替完了通知は、上記委託指示情報のうち少なくとも一部、上記業務報告情報のうち少なくとも一部、および、上記第１の契約口座から上記第２の契約口座への振替日のうち少なくとも一つに関する情報を含むことを特徴とする。
【００６４】
これは振替完了通知の一例を一層具体的に示すものである。このプログラムによれば、振替完了通知は、委託指示情報のうち少なくとも一部、業務報告情報のうち少なくとも一部、および、第１の契約口座から第２の契約口座への振替日のうち少なくとも一つに関する情報を含むので、これらの情報を一括管理することができ、かつ、確実に委託元に送信することができるようになる。
【００６５】
また、本発明は記録媒体に関するものであり、請求項２２に記載の記録媒体は、上記請求項１９から２１のいずれか一つに記載されたプログラムを記録したことを特徴とする。
【００６６】
この記録媒体によれば、当該記録媒体に記録されたプログラムをコンピュータに読み取らせて実行することによって、請求項１９から２１のいずれか一つに記載されたプログラムをコンピュータを利用して実現することができ、これら各プログラムと同様の効果を得ることができる。
【００６７】
また、本発明は業務委託情報管理システムに関するものであり、請求項２３に記載の業務委託情報管理システムは、業務委託に関する情報を処理する業務委託情報処理装置と、業務の委託元の委託元用情報端末装置と、上記業務の委託先の委託先用情報端末装置とを、ネットワークを介して通信可能に接続して構成された業務委託情報管理システムであって、上記業務委託情報処理装置は、上記委託元用情報端末装置から上記業務の上記委託先に対する委託指示情報を受信して一意の委託情報ＩＤを付与して格納し、上記業務の上記委託先の上記委託先用情報端末装置に対して当該委託情報ＩＤに関連付けられた当該委託指示情報を送信する委託指示情報送信手段と、上記委託先用情報端末装置から、上記委託情報ＩＤに関連付けられた上記委託指示情報に対応する業務報告に関する情報であって、上記委託先が少なくとも最終請求金額に関する情報を指定した業務報告情報を受信して当該委託情報ＩＤに関連付けて格納する業務報告情報格納手段と、上記委託元用情報端末装置からの振込依頼指示に従って、上記委託先が上記業務報告情報にて指定した上記最終請求金額を入金した第１の契約口座から、上記委託元が契約する第２の契約口座に当該最終請求金額を振り替えることを金融機関システムに依頼する振替依頼手段と、上記振替依頼手段による振り替えが完了したことを通知する振替完了通知であって、上記委託情報ＩＤ、当該委託情報ＩＤに関連付けられた、上記委託指示情報のうち少なくとも一部、上記業務報告情報のうち少なくとも一部、および、上記第１の契約口座から上記第２の契約口座への振替日を含む当該振替完了通知を上記委託元の上記委託元用情報端末装置に対して送信する振替完了通知手段と、を備え、上記委託元用情報端末装置は、上記業務の上記委託先に対する上記委託指示情報を上記業務委託情報処理装置に対して送信する委託指示情報送信手段と、上記業務委託情報処理装置に格納された上記業務報告情報を取得する業務報告情報取得手段と、上記業務委託情報処理装置に対して、当該委託指示情報に対応する上記業務報告情報の上記最終請求金額についての上記振込依頼指示を送信する振込依頼指示手段と、当該委託指示情報に対応する上記振替完了通知を受信する振替完了通知受信手段と、を備え、上記委託先用情報端末装置は、上記業務委託情報処理装置から上記委託指示情報を受信する委託指示情報受信手段と、上記委託指示情報受信手段により受信した上記委託情報ＩＤに関連付けられた上記委託指示情報に対応する業務報告に関する情報であって、上記委託先が少なくとも最終請求金額に関する情報を指定した業務報告情報を上記業務委託情報処理装置に対して送信する業務報告情報送信手段と、を備え、上記委託元用情報端末装置において上記振替完了通知受信手段により受信した上記振替完了通知に基づき、上記委託元における上記最終請求金額の入金確認を可能とすることを特徴とする。
【００６８】
このシステムによれば、業務委託情報処理装置は、委託元用情報端末装置から業務の委託先に対する委託指示情報を受信し、受信した委託指示情報を格納し、委託指示情報を業務の委託先の委託先用情報端末装置に対して送信し（例えば、電子メールの形態で送信してもよく、また、ＷＥＢページの形態で委託先用情報端末装置からのページ要求指示により送信してもよく、その他の送信手段により送信してもよい）、委託先用情報端末装置から委託指示情報に対応する業務報告に関する情報であって、委託先が少なくとも最終請求金額に関する情報を指定した業務報告情報を受信し、受信した業務報告情報を格納し、委託元用情報端末装置からの振込依頼指示に従って、委託先が業務報告情報にて指定した最終請求金額を入金した第１の契約口座から、委託元が契約する第２の契約口座に当該最終請求金額を振り替えることを金融機関システムに依頼し、振り替えが完了したことを通知する振替完了通知を委託元の委託元用情報端末装置に対して送信する（例えば、電子メールの形態で送信してもよく、また、ＷＥＢページの形態で委託元用情報端末装置からのページ要求指示により送信してもよく、その他の送信手段により送信してもよい）ので、業務委託の進捗管理から収納管理までを本業務委託情報処理装置により一括管理することができるようになる。
【００６９】
すなわち、委託元が委託指示を出した業務について、適宜、業務委託情報処理装置に格納されている情報をＷＥＢページ上で参照等することにより、進捗や入金の管理を行うことができるようになる。
【００７０】
また、本システムによれば、委託先が顧客から受け取った料金などの最終請求金額を入金する第１の契約口座と、委託元が契約する収納用の第２の契約口座を分けているので、委託先は、自己の管理する第１の契約口座に料金等を入金することで済むようになる（すなわち、委託先が銀行等に振込サービス提供時間内（通常は９時から１５時）にわざわざ出向いて委託元の契約口座に料金を振り込む必要はない）。ここで、キャッシュカードなどによる契約口座への入金（すなわち、契約口座への預け入れ）は、金融機関は、一般的に手数料無料でかつ年中無休で２４時間、ＡＴＭ装置等により駅やスーパーやコンビニエンスストア等でも行うことができる。従って、第１の契約口座を委託先が自己で管理する口座にすることにより、第１の契約口座への入金を簡便に行うことが可能になるため、委託先において入金作業が委託業務の遂行に支障を来たす場合も少なくなり、また、夜間に料金を集金したときでも直ちに料金の契約口座に入金を済ませることができるようになる。
【００７１】
そして、委託元が業務報告情報を受信後に、委託先が業務報告情報にて指定した最終請求金額を入金した第１の契約口座から、委託元が契約する第２の契約口座に当該最終請求金額を振り替えることを金融機関システムに依頼することにより、委託業務が完了した案件について委託元の指示により委託元の契約口座（第２の契約口座）に振替を行うことができるようになる。
【００７２】
ここで、委託先が業務報告情報にて指定した最終請求金額を入金した第１の契約口座は、委託先の個人の契約口座でもよく、また、委託元（委託元の配下の組織を含む）の契約口座でもよい。すなわち、委託先が委託元の営業所単位で契約した契約口座等（第１の契約口座）に一旦振り込んだ後、委託元の契約口座（第２の契約口座）に振り替えてもよい。これにより、委託元が営業所単位で第１の契約口座の入金を確認してから、金融機関システムに対して本社が管理する第２の契約口座に振替依頼を行うことができるようになる。
【００７３】
また、本システムによれば、委託元は、業務委託情報処理装置から振替完了通知を受信することにより、委託元の契約する第２の契約口座に入金された料金がどの委託業務に関する料金であるかが明確に把握できるようになり、入金の消し込み作業を極めて効率的に行うことができるようになる。
【００７４】
ここで、委託元における入金の消し込みは、担当者が振替完了通知の内容と請求に関する帳簿とを確認して入金された請求について消し込みを行うことの他、委託元の業務管理システムにおいて受信した振替完了通知のデータを取り込み電子的に請求に関する帳票データ等と付き合わせて入金の消し込みを行うことなどを含み、各企業などにおける入金の消し込みのあらゆる態様を想定したものである。
【００７５】
また、本システムによれば、委託先用情報端末装置は、委託指示情報を受信し、受信した委託指示情報に対応する業務報告に関する情報であって、委託先が少なくとも最終請求金額に関する情報を指定した業務報告情報を業務委託情報処理装置に対して送信するので、業務報告をリアルタイムに送信することができるようになる。また、委託先は、業務完了後、最終請求金額を銀行や郵貯などの金融機関システムのＡＴＭなどを用いて第１の契約口座に振り込むことにより、入金作業を簡略化することができるようになる。
【００７６】
すなわち、本システムによれば、業務委託内容を一括管理することができるようになり、また、委託元における入金確認および入金の消し込み作業を簡略化することができるようになる。
【００７７】
また、請求項２４に記載の業務委託情報管理システムは、請求項２３に記載の業務委託情報管理システムにおいて、上記委託元用情報端末装置は、上記第１の契約口座の入金状況を上記金融機関システムに対して照会する入金状況照会手段をさらに備えたことを特徴とする。
【００７８】
このシステムによれば、委託元用情報端末装置は、第１の契約口座の入金状況を金融機関システムに対して照会するので、委託先の入金状況を適宜確認することができるようになり、第２の契約口座への振替指示などを出す際に参考にすることができるようになる。
【００７９】
また、請求項２５に記載の業務委託情報管理システムは、請求項２３に記載の業務委託情報管理システムにおいて、上記委託元用情報端末装置は、上記入金状況照会手段により照会された上記第１の契約口座の入金状況と、上記業務報告情報取得手段にて取得した上記業務報告情報の上記最終請求金額とを比較して、上記委託先による入金状況を確認する入金状況確認手段とをさらに備え、上記振込依頼指示手段は、上記入金状況確認手段により確認された上記業務の上記最終請求金額について、上記業務委託情報処理装置に対して上記振込依頼指示を送信することを特徴とする。
【００８０】
このシステムによれば、委託元用情報端末装置は、業務委託情報処理装置に格納された業務報告情報を取得し、照会された第１の契約口座の入金状況と、取得した業務報告情報の最終請求金額とを比較して、委託先による入金状況を確認し、確認された業務の最終請求金額について、業務委託情報処理装置に対して振込依頼指示を送信するので、委託業務が完了しかつ入金が完了したものについて第２の契約口座に振り替えることができるようになり、入金消し込み作業をさらに簡略化することができるようになる。
【００８１】
また、請求項２６に記載の業務委託情報管理システムは、請求項２３から２５のいずれか一つに記載の業務委託情報管理システムにおいて、上記委託指示情報は、上記業務の上記委託元、上記業務の上記委託先、派遣先、上記業務の委託内容、請求金額、請求金額の受け取り方法、および、上記第１の契約口座への入金期日のうち少なくとも一つに関する情報を含むことを特徴とする。
【００８２】
これは委託指示情報の一例を一層具体的に示すものである。このシステムによれば、委託指示情報は、業務の委託元、業務の委託先、派遣先、業務の委託内容、請求金額、請求金額の受け取り方法、および、第１の契約口座への入金期日のうち少なくとも一つに関する情報を含むので、これらの情報を一括管理することができ、かつ、確実に委託先に送信することができるようになる。
【００８３】
また、請求項２７に記載の業務委託情報管理システムは、請求項２３から２６のいずれか一つに記載の業務委託情報管理システムにおいて、上記業務報告情報は、上記業務の実施日、上記業務の実施内容、および、上記第１の契約口座への入金日のうち少なくとも一つに関する情報をさらに含むことを特徴とする。
【００８４】
これは業務報告情報の一例を一層具体的に示すものである。このシステムによれば、業務報告情報は、業務の実施日、業務の実施内容、および、第１の契約口座への入金日のうち少なくとも一つに関する情報をさらに含むので、これらの情報を一括管理することができ、かつ、確実に委託元に送信することができるようになる。
【００８５】
また、請求項２８に記載の業務委託情報管理システムは、請求項２３に記載の業務委託情報管理システムであって、上記委託元用情報端末装置は、上記振替完了通知受信手段により受信した上記振替完了通知のうちの少なくとも一部を、上記委託元の上記委託指示情報のうちの少なくとも一部と付け合わせて入金の消し込みを行う入金消込手段を更に備えたことを特徴とする。
【００８６】
このシステムによれば、受信した振替完了通知のうちの少なくとも一部を、委託元の委託指示情報のうちの少なくとも一部と付け合わせて入金の消し込みを行うので、委託元は、業務委託情報処理装置から振替完了通知を受信することにより、委託元の契約する第２の契約口座に入金された料金がどの委託業務に関する料金であるかが明確に把握できるようになり、入金の消し込み作業を極めて効率的に行うことができるようになる。
【００８７】
また、本発明は業務委託情報管理方法に関するものであり、請求項２９に記載の業務委託情報管理方法は、業務委託に関する情報を処理する業務委託情報処理装置と、業務の委託元の委託元用情報端末装置と、上記業務の委託先の委託先用情報端末装置とを、ネットワークを介して通信可能に接続して構成された業務委託情報管理システムを用いて実行される業務委託情報管理方法であって、上記委託元用情報端末装置において実行される、上記業務の上記委託先に対する委託指示情報を送信する委託指示情報送信ステップと、上記業務委託情報処理装置において実行される、上記委託元用情報端末装置から上記業務の上記委託先に対する上記委託指示情報を受信する委託指示情報受信ステップと、上記業務委託情報処理装置において実行される、上記委託指示情報受信ステップにて受信した上記委託指示情報を一意の委託情報ＩＤを付与して格納する委託指示情報格納ステップと、上記委託情報ＩＤに関連付けられた上記委託指示情報を上記業務の上記委託先の上記委託先用情報端末装置に対して送信する委託指示情報送信ステップと、上記委託先用情報端末装置において実行される、上記委託指示情報を受信する委託指示情報受信ステップと、上記委託先用情報端末装置において実行される、上記委託指示情報受信ステップにて受信した上記委託情報ＩＤに関連付けられた上記委託指示情報に対応する業務報告に関する情報であって、上記委託先が少なくとも最終請求金額に関する情報を指定した業務報告情報を上記業務委託情報処理装置に対して送信する業務報告情報送信ステップと、上記業務委託情報処理装置において実行される、上記委託先用情報端末装置から、上記委託情報ＩＤに関連付けられた上記委託指示情報に対応する業務報告に関する情報であって、上記委託先が少なくとも最終請求金額に関する情報を指定した業務報告情報を受信する業務報告情報受信ステップと、上記業務委託情報処理装置において実行される、上記業務報告情報受信ステップにて受信した上記業務報告情報を上記委託情報ＩＤに関連付けて格納する業務報告情報格納ステップと、上記委託元用情報端末装置において実行される、上記業務委託情報処理装置に格納された上記業務報告情報を取得する業務報告情報取得ステップと、上記委託元用情報端末装置において実行される、上記業務委託情報処理装置に対して、当該委託指示情報に対応する上記業務報告情報の上記最終請求金額についての上記振込依頼指示を送信する振込依頼指示ステップと、上記業務委託情報処理装置において実行される、上記委託元用情報端末装置からの上記振込依頼指示に従って、上記委託先が上記業務報告情報にて指定した上記最終請求金額を入金した第１の契約口座から、上記委託元が契約する第２の契約口座に当該最終請求金額を振り替えることを金融機関システムに依頼する振替依頼ステップと、上記業務委託情報処理装置において実行される、上記振替依頼ステップにて振り替えが完了したことを通知する振替完了通知であって、上記委託情報ＩＤ、当該委託情報ＩＤに関連付けられた、上記委託指示情報のうち少なくとも一部、上記業務報告情報のうち少なくとも一部、および、上記第１の契約口座から上記第２の契約口座への振替日を含む当該振替完了通知を上記委託元の上記委託元用情報端末装置に対して送信する振替完了通知ステップと、上記委託元用情報端末装置において実行される、上記委託指示情報に対応する、上記委託情報ＩＤに対する上記振替完了通知を受信する振替完了通知受信ステップと、を含み、上記振替完了通知受信ステップにて受信した上記振替完了通知に基づき、上記委託元における上記最終請求金額の入金確認を可能とすることを特徴とする。
【００８８】
この方法によれば、委託元用情報端末装置において、業務の委託先に対する委託指示情報を送信し、業務委託情報処理装置において、委託元用情報端末装置から業務の委託先に対する委託指示情報を受信し、業務委託情報処理装置において、委託指示情報受信ステップにて受信した委託指示情報を格納し、委託指示情報を業務の委託先の委託先用情報端末装置に対して送信し、委託先用情報端末装置において、委託指示情報を受信し、委託先用情報端末装置において、受信した委託指示情報に対応する業務報告に関する情報であって、委託先が少なくとも最終請求金額に関する情報を指定した業務報告情報を業務委託情報処理装置に対して送信し、業務委託情報処理装置において、委託先用情報端末装置から委託指示情報に対応する業務報告に関する情報であって、委託先が少なくとも最終請求金額に関する情報を指定した業務報告情報を受信し、業務委託情報処理装置において、受信した業務報告情報を格納し、委託元用情報端末装置において、業務委託情報処理装置に対して、振込依頼指示を送信し、業務委託情報処理装置において、委託元用情報端末装置からの振込依頼指示に従って、委託先が業務報告情報にて指定した最終請求金額を入金した第１の契約口座から、委託元が契約する第２の契約口座に当該最終請求金額を振り替えることを金融機関システムに依頼し、業務委託情報処理装置において、振り替えが完了したことを通知する振替完了通知を委託元の委託元用情報端末装置に対して送信し、委託元用情報端末装置において、振替完了通知を受信して入金の消し込みを行う。
これにより、業務委託内容を一括管理することができ、また、委託元における入金確認および入金の消し込み作業を簡略化することができるようになる。
【００８９】
また、請求項３０に記載の業務委託情報管理方法は、請求項２９に記載の業務委託情報管理方法において、上記委託元用情報端末装置は、上記第１の契約口座の入金状況を上記金融機関システムに対して照会する入金状況照会ステップをさらに含むことを特徴とする。
【００９０】
この方法によれば、委託元用情報端末装置は、第１の契約口座の入金状況を金融機関システムに対して照会するので、委託先の入金状況を適宜確認することができるようになり、第２の契約口座への振替指示などを出す際に参考にすることができるようになる。
【００９１】
また、請求項３１に記載の業務委託情報管理方法は、請求項２９に記載の業務委託情報管理方法において、上記委託元用情報端末装置は、上記入金状況照会ステップにより照会された上記第１の契約口座の入金状況と、上記業務報告情報取得ステップにて取得した上記業務報告情報の上記最終請求金額とを比較して、上記委託先による入金状況を確認する入金状況確認ステップとをさらに含み、上記振込依頼指示ステップは、上記入金状況確認ステップにより確認された上記業務の上記最終請求金額について、上記業務委託情報処理装置に対して上記振込依頼指示を送信することを特徴とする。
【００９２】
この方法によれば、委託元用情報端末装置は、業務委託情報処理装置に格納された業務報告情報を取得し、照会された第１の契約口座の入金状況と、取得した業務報告情報の最終請求金額とを比較して、委託先による入金状況を確認し、確認された業務の最終請求金額について、業務委託情報処理装置に対して振込依頼指示を送信するので、委託業務が完了しかつ入金が完了したものについて第２の契約口座に振り替えることができるようになり、入金消し込み作業をさらに簡略化することができるようになる。
【００９３】
また、請求項３２に記載の業務委託情報管理方法は、請求項２９から３１のいずれか一つに記載の業務委託情報管理方法において、上記委託指示情報は、上記業務の上記委託元、上記業務の上記委託先、派遣先、上記業務の委託内容、請求金額、請求金額の受け取り方法、および、上記第１の契約口座への入金期日のうち少なくとも一つに関する情報を含むことを特徴とする。
【００９４】
これは委託指示情報の一例を一層具体的に示すものである。この方法によれば、委託指示情報は、業務の委託元、業務の委託先、派遣先、業務の委託内容、請求金額、請求金額の受け取り方法、および、第１の契約口座への入金期日のうち少なくとも一つに関する情報を含むので、これらの情報を一括管理することができ、かつ、確実に委託先に送信することができるようになる。
【００９５】
また、請求項３３に記載の業務委託情報管理方法は、請求項２９から３２のいずれか一つに記載の業務委託情報管理方法において、上記業務報告情報は、上記業務の実施日、上記業務の実施内容、および、上記第１の契約口座への入金日のうち少なくとも一つに関する情報をさらに含むことを特徴とする。
【００９６】
これは業務報告情報の一例を一層具体的に示すものである。この方法によれば、業務報告情報は、業務の実施日、業務の実施内容、および、第１の契約口座への入金日のうち少なくとも一つに関する情報をさらに含むので、これらの情報を一括管理することができ、かつ、確実に委託元に送信することができるようになる。
【００９７】
また、請求項３４に記載の業務委託情報管理方法は、請求項２９に記載の業務委託情報管理方法であって、上記委託元用情報端末装置において実行される、上記振替完了通知を受信ステップにて受信した上記振替完了通知のうちの少なくとも一部を、上記委託元の上記委託指示情報のうちの少なくとも一部と付け合わせて入金の消し込みを行う入金消込ステップを更に含むことを特徴とする。
【００９８】
この方法によれば、受信した振替完了通知のうちの少なくとも一部を、委託元の委託指示情報のうちの少なくとも一部と付け合わせて入金の消し込みを行うので、委託元は、業務委託情報処理装置から振替完了通知を受信することにより、委託元の契約する第２の契約口座に入金された料金がどの委託業務に関する料金であるかが明確に把握できるようになり、入金の消し込み作業を極めて効率的に行うことができるようになる。
【００９９】
【発明の実施の形態】
以下に、本発明にかかる業務委託情報管理システム、業務委託情報処理装置、委託元用情報端末装置、委託先用情報端末装置、業務委託情報管理方法、プログラム、および、記録媒体の実施の形態を図面に基づいて詳細に説明する。なお、この実施の形態によりこの発明が限定されるものではない。
【０１００】
（本システムの概要）
以下、本システムの概要について説明し、その後、本システムの構成および処理等について詳細に説明する。図１は本システムの全体構成の一例を示すブロック図であり、該システム構成のうち本発明に関係する部分のみを概念的に示している。
本システムは、概略的に、業務委託に関する情報を処理する業務委託情報処理装置であるサーバ装置１００と、業務の委託元の委託元用情報端末装置である委託元クライアント装置２５０と、業務の委託先の委託先用情報端末装置である委託先クライアント装置２００と、金融機関システム４００とを、ネットワーク３００を介して通信可能に接続して構成されている。
【０１０１】
このシステムは、概略的に、以下の基本的特徴を有する。すなわち、サーバ装置１００は、委託元クライアント装置２５０から業務の委託先に対する委託指示情報を受信し、受信した委託指示情報を格納し、委託指示情報を業務の委託先の委託先クライアント装置２００に対して送信し、委託先クライアント装置２００から委託指示情報に対応する業務報告に関する情報であって、委託先が少なくとも最終請求金額に関する情報を指定した業務報告情報を受信し、受信した業務報告情報を格納し、委託元クライアント装置２５０からの振替指示に従って委託先が業務報告情報にて指定した最終請求金額を入金した第１の契約口座から、委託元が契約する第２の契約口座に当該最終請求金額を振り替えることを金融機関システム４００に依頼し、振り替えが完了したことを通知する振替完了通知を委託元の委託元クライアント装置２５０に対して送信する。
【０１０２】
また、委託元クライアント装置２５０は、業務の委託先に対する委託指示情報を送信し、第１の契約口座の入金状況を金融機関システム４００に対して照会し、サーバ装置１００に対して第１の契約口座から第２の契約口座に振り替えることを指示し、また、サーバ装置１００から振替完了通知を受信して入金の消し込みを行う。
【０１０３】
また、委託先クライアント装置２００は、委託指示情報を受信し、受信した委託指示情報に対応する業務報告に関する情報であって、委託先が少なくとも最終請求金額に関する情報を指定した業務報告情報をサーバ装置１００に対して送信する。
【０１０４】
また、金融機関システム４００は、ネットワーク３００経由の依頼により、委託先が業務報告情報にて指定した最終請求金額を入金した第１の契約口座と、委託元が契約する第２の契約口座と間で振り替えを行う機能を有する。また、ネットワーク３００経由の依頼により、第１の契約口座および第２の契約口座の入金や入金確認（残高照会）などの一般的な金融サービスを提供する機能などを有する。ここで、金融機関システム４００は、銀行や信用金庫や郵便貯金などの金融機関が提供するシステムであって、インターネットやｉモード（サービス名）などのネットワーク３００経由で振替や残高照会などができるものであれば、いずれのシステムであってもよい。
【０１０５】
（システム構成）
以下、このような基本的特徴を具現化するための、本システムの構成について説明する。
【０１０６】
（システム構成―サーバ装置１００）
まず、サーバ装置１００の構成について説明する。
図２は、本発明が適用されるサーバ装置１００の構成の一例を示すブロック図であり、該構成のうち本発明に関係する部分のみを概念的に示している。図２においてサーバ装置１００は、概略的に、サーバ装置１００の全体を統括的に制御するＣＰＵ等の制御部１０２、通信回線等に接続されるルータ等の通信装置（図示せず）に接続される通信制御インターフェース部１０４、および、各種のデータベース（委託元管理データベース１０６ａ〜委託情報管理データベース１０６ｃ）を格納する記憶部１０６を備えて構成されており、これら各部は任意の通信路を介して通信可能に接続されている。さらに、このサーバ装置１００は、ルータ等の通信装置および専用線等の有線または無線の通信回線を介して、ネットワーク３００に通信可能に接続されている。
【０１０７】
記憶部１０６に格納される各種のデータベース（委託元管理データベース１０６ａ〜委託情報管理データベース１０６ｃ）は、固定ディスク装置等のストレージ手段であり、各種処理やウェブサイト提供に用いる各種のプログラムやテーブルやファイルやデータベースやウェブページ用ファイル等を格納する。
【０１０８】
これら記憶部１０６の各構成要素のうち、委託元管理データベース１０６ａは、委託元に関する情報（委託元情報）を格納する利用者情報格納手段である。図３は、委託元管理データベース１０６ａに格納される委託元情報の一例を示す図である。
【０１０９】
この委託元管理データベース１０６ａに格納される情報は、図３に示すように、各委託元を一意に識別するための委託元ＩＤ、各委託元の名称、各委託元の連絡先、各委託元の電子メールアドレス、各委託元の契約する銀行口座等の第２の契約口座等を相互に関連付けて構成されている。
【０１１０】
また、委託先管理データベース１０６ｂは、委託先に関する情報（委託先情報）を格納する利用者情報格納手段である。図４は、委託先管理データベース１０６ｂに格納される委託先情報の一例を示す図である。
【０１１１】
この委託先管理データベース１０６ｂに格納される情報は、図４に示すように、各委託先を一意に識別するための委託先ＩＤ、各委託先の名称、各委託先の連絡先、各委託先の電子メールアドレス、各委託先の契約する銀行口座等の第１の契約口座等を相互に関連付けて構成されている。
【０１１２】
また、委託情報管理データベース１０６ｃは、委託元から委託先に委託される委託業務に関する情報（委託情報）を格納する委託情報格納手段であり、委託指示情報受信手段にて受信した委託指示情報を格納する委託指示情報格納手段、および、業務報告情報受信手段にて受信した業務報告情報を格納する業務報告情報格納手段として機能する。図５は、委託情報管理データベース１０６ｃに格納される情報の一例を示す図である。
【０１１３】
この委託情報管理データベース１０６ｃに格納される情報は、図５に示すように、委託情報を一意に識別するための委託情報ＩＤ、委託元により作成される委託指示情報、委託先により作成される業務報告情報、振替日等を相互に関連付けて構成されている。
【０１１４】
ここで、「委託指示情報」は、委託元ＩＤ、委託先ＩＤ、派遣先（名称、住所等）、委託内容、請求金額、金額の受取方法、第１の契約口座への入金期日等を含んで構成される。
【０１１５】
また、「業務報告情報」は、業務実施日、業務実施内容、最終請求金額、第１の契約口座へ最終請求金額を入金した入金日等を含んで構成される。
【０１１６】
ここで、「最終請求金額」は、通常は請求金額であるが、派遣先で値引きや製品の瑕疵等により金額が変動する場合には、最終的に請求した金額を依頼先で入力する。
【０１１７】
また、その他の情報として、サーバ装置１００の記憶部１０６には、ウェブサイトを委託先クライアント装置２００や委託元クライアント装置２５０に提供するための各種のＷＥＢページデータやＣＧＩプログラム等が記録されている。
【０１１８】
このＷＥＢページデータとしては、後述する各種のＷＥＢページページを表示するためのデータ等があり、これらデータは、例えば、ＨＴＭＬやＸＭＬにて記述されたテキストファイルとして形成されている。また、これらのＷＥＢページデータを作成するための部品用のファイルや作業用のファイルやその他一時的なファイル等も記憶部１０６に記憶される。
【０１１９】
この他、必要に応じて、委託先クライアント装置２００および委託元クライアント装置２５０に送信するための音声をＷＡＶＥ形式やＡＩＦＦ形式の如き音声ファイルで格納したり、静止画や動画をＪＰＥＧ形式やＭＰＥＧ２形式の如き画像ファイルで格納したりすることができる。
【０１２０】
また、図２において、通信制御インターフェース部１０４は、サーバ装置１００とネットワーク３００（またはルータ等の通信装置）との間における通信制御を行う。すなわち、通信制御インターフェース部１０４は、他の端末と通信回線を介してデータを通信する機能を有する。
【０１２１】
また、図２において、制御部１０２は、ＯＳ（Ｏｐｅｒａｔｉｎｇ  Ｓｙｓｔｅｍ）等の制御プログラム、各種の処理手順等を規定したプログラム、および所要データを格納するための内部メモリを有し、これらのプログラム等により、種々の処理を実行するための情報処理を行う。制御部１０２は、機能概念的に、委託処理部１０２ａ、収納処理部１０２ｂ、振替処理部１０２ｃ、および、入金消込処理部１０２ｄを備えて構成されている。
【０１２２】
このうち、委託処理部１０２ａは、委託元用情報端末装置から業務の委託先に対する委託指示情報を受信する委託指示情報受信手段、および、委託指示情報を業務の委託先の委託先用情報端末装置に対して送信する委託指示情報送信手段である。また、収納処理部１０２ｂは、委託先用情報端末装置から委託指示情報に対応する業務報告に関する情報であって、委託先が少なくとも最終請求金額に関する情報を指定した業務報告情報を受信する業務報告情報受信手段である。また、振替処理部１０２ｃは、委託先が業務報告情報にて指定した最終請求金額を入金した第１の契約口座から、委託元が契約する第２の契約口座に当該最終請求金額を振り替えることを金融機関システムに依頼する振替依頼手段である。また、入金消込処理部１０２ｄは、振替依頼手段による振り替えが完了したことを通知する振替完了通知を委託元の委託元用情報端末装置に対して送信する振替完了通知手段である。なお、これら各部によって行なわれる処理の詳細については、後述する。
【０１２３】
（システム構成−委託先クライアント装置２００、委託元クライアント装置２５０）
次に、委託先クライアント装置２００、委託元クライアント装置２５０の構成について説明する。なお、委託先クライアント装置２００と委託元クライアント装置２５０は相互にほぼ同一に構成することができるので、ここでは説明の便宜上、委託先クライアント装置２００について説明することとし、委託元クライアント装置２５０に特に適用される部分の説明は特記する。
図６は、本発明が適用される委託先クライアント装置２００の構成の一例を示すブロック図であり、該構成のうち本発明に関係する部分のみを概念的に示している。この図６に示すように、委託先クライアント装置２００は、概略的には、制御部２１０、ＲＯＭ２２０、ＨＤ２３０、ＲＡＭ２４０、入力装置２９０、出力装置２６０、入出力制御ＩＦ２７０、および、通信制御ＩＦ２８０を備えて構成されており、これら各部がバスを介してデータ通信可能に接続されている。
【０１２４】
この委託先クライアント装置２００の制御部２１０は、ＷＥＢブラウザ２１１および電子メーラ２１２を備えて構成されている。このうち、ＷＥＢブラウザ２１１は、基本的には、ＷＥＢデータを解釈して、後述するモニタ２６１に表示させる表示制御（ブラウズ処理）を行うものである。また、ＷＥＢブラウザ２１１は、ストリーム映像の受信、表示、フィードバック等を行う機能を備えたストリームプレイヤ等の各種のソフトウェアをプラグインしてもよい。また、電子メーラ２１２は、所定の通信規約（例えば、ＳＭＴＰ（Ｓｉｍｐｌｅ  Ｍａｉｌ  Ｔｒａｎｓｆｅｒ  Ｐｒｏｔｏｃｏｌ）やＰＯＰ３（Ｐｏｓｔ  Ｏｆｆｉｃｅ  Ｐｒｏｔｏｃｏｌ  ｖｅｒｓｉｏｎ  ３）等）に従って、電子メールの送受信を行う。
【０１２５】
ここで、委託先クライアント装置２００の制御部２１０は、業務の委託先に対する上記委託指示情報を送信する委託指示情報送信手段、振替完了通知を受信して入金の消し込みを行う入金消込手段、委託指示情報受信手段にて受信した委託指示情報に対応する業務報告に関する情報であって、委託先が少なくとも最終請求金額に関する情報を指定した業務報告情報を業務委託情報処理装置に対して送信する業務報告情報送信手段である。
【０１２６】
また、委託元クライアント装置２５０の制御部２１０は、業務の委託先に対する委託指示情報をサーバ装置１００に対して送信する委託指示情報送信手段、第１の契約口座の入金状況を金融機関システム４００に対して照会する入金状況照会手段、サーバ装置１００に格納された業務報告情報を取得する業務報告情報取得手段、入金状況照会手段により照会された第１の契約口座の入金状況と業務報告情報取得手段にて取得した業務報告情報の最終請求金額とを比較して委託先による入金状況を確認する入金状況確認手段、サーバ装置１００に対して振込依頼指示を送信する振込依頼指示手段、および、委託先が業務報告情報にて指定した最終請求金額を入金した第１の契約口座から、委託元が契約する第２の契約口座に当該最終請求金額の振り替えが完了したことを通知する振替完了通知を業務委託情報処理装置から受信して入金の消し込みを行う入金消込手段である。
【０１２７】
また、入力装置２９０としては、キーボード、マウス、および、マイク等を用いることができる。また、後述するモニタ２６１も、マウスと協働してポインティングデバイス機能を実現する。
【０１２８】
また、出力装置２６０としては、モニタ（家庭用テレビを含む）２６１、および、プリンタ２６２が設けられている。この他、出力装置２６０としては、スピーカ等を用いることができる。出力装置２６０は、通信制御ＩＦ２８０を介して受信された情報を出力する出力手段である。
【０１２９】
また、通信制御ＩＦ２８０は、委託先クライアント装置２００とネットワーク３００（またはルータ等の通信装置）との間における通信制御を行う。この通信制御ＩＦ２８０は、サーバ装置１００から送信された情報を受信する受信手段であり、委託指示情報を受信する委託指示情報受信手段である。
【０１３０】
このように構成された委託先クライアント装置２００は、モデム、ＴＡ、ルータ等の通信装置と電話回線を介して、あるいは、専用線を介して、ネットワーク３００に接続されており、所定の通信規約（たとえば、ＴＣＰ／ＩＰインターネットプロトコル）に従ってサーバ装置１００にアクセスすることができる。
【０１３１】
（システム構成−ネットワーク３００）
次に、ネットワーク３００の構成について説明する。ネットワーク３００は、サーバ装置１００と委託先クライアント装置２００と委託元クライアント装置２５０と金融機関システム４００とを相互に接続する機能を有し、例えば、インターネット等である。
【０１３２】
（システム構成−金融機関システム４００）
次に、金融機関システム４００の構成について説明する。金融機関システム４００は、ネットワーク３００を介して、サーバ装置１００と委託先クライアント装置２００と委託元クライアント装置２５０とに相互に接続され、利用者に対して口座振替等の金融サービスを行うウェブサイトを提供する機能を有する。ここで、金融機関システム４００は、ＷＥＢサーバやＡＳＰサーバ等として構成してもよく、そのハードウェア構成は、一般に市販されるワークステーション、パーソナルコンピュータ等の情報処理装置およびその付属装置により構成してもよい。また、以下に説明する金融機関システム４００の各機能は、金融機関システム４００のハードウェア構成中のＣＰＵ、ディスク装置、メモリ装置、入力装置、出力装置、通信制御装置等およびそれらを制御するプログラム等により実現される。
【０１３３】
（システムの処理）
次に、このように構成された本実施の形態における本システムの処理の一例について、以下に図７〜図１３を参照して詳細に説明する。なお、以下の実施例において、委託先クライアント装置２００のモニタ２６１に表示される各種の画面情報は、特記しない限りサーバ装置１００が作成して委託先クライアント装置２００に送信している場合を一例に説明するが、本発明はこの場合に限定されるものではなく、委託先クライアント装置２００の記憶部に予め画面情報を格納しておき、委託先クライアント装置２００の制御部２１０の制御により必要な画面情報を適宜読み出して表示してもよい。
【０１３４】
（メイン処理）
最初にメイン処理の詳細について図７を参照して説明する。図７は、本実施形態における本システムのメイン処理の一例を示すフローチャートである。
【０１３５】
まず、サーバ装置１００は、委託処理部１０２ａの処理により、業務委託処理を行う（ステップＳＡ−１）。
【０１３６】
ついで、サーバ装置１００は、収納処理部１０２ｂの処理により、収納処理を行う（ステップＳＡ−２）。
【０１３７】
ついで、サーバ装置１００は、振替処理部１０２ｃの処理により、振替処理を行う（ステップＳＡ−３）。
【０１３８】
ついで、サーバ装置１００は、入金消込処理部１０２ｄの処理により、入金消込処理を行う（ステップＳＡ−４）。これにて、メイン処理が終了する。
【０１３９】
（業務委託処理）
次に、このように構成された本システムを用いて行なわれる本方法としての業務委託処理の詳細について図８を参照して説明する。
図８は、本実施形態における本システムの業務委託処理の一例を示すフローチャートである。
【０１４０】
まず、委託元クライアント装置２５０は、サーバ装置１００の提供するウェブサイトのアドレス（ＵＲＬ等）を委託元がＷＥＢブラウザ２１１の表示される画面上で入力装置２９０を介して指定することにより、インターネットを介して、サーバ装置１００に接続する。ここで、前提として、委託元管理データベース１０６ａおよび委託先管理データベース１０６ｂに関する情報は、既に登録されているものとする。
【０１４１】
具体的には、委託元が、委託元クライアント装置２５０のＷＥＢブラウザ２１１を起動し、このＷＥＢブラウザ２１１の所定の入力欄に、本システムの利用者登録画面に対応する所定のＵＲＬを入力する。そして、委託元が、このＷＥＢブラウザ２１１の画面更新を指示すると、ＷＥＢブラウザ２１１は、このＵＲＬを通信制御ＩＦ２８０を介して所定の通信規約にて送信し、このＵＲＬに基づくルーティングによってサーバ装置１００に対する委託指示情報入力用ＷＥＢページの送信要求を行う。
【０１４２】
ついで、サーバ装置１００は、委託元クライアント装置２５０からの送信の有無を監視しており、送信を受けると、この送信の内容を解析し、その結果に応じて当該制御部１０２内の各部に処理を移す。送信の内容が委託指示情報入力用ＷＥＢページの送信要求である場合には、記憶部１０６から委託指示情報入力用ＷＥＢページを表示するためのＷＥＢデータを取得し、このＷＥＢデータを通信制御インターフェース部１０４を介して委託元クライアント装置２５０に送信する。ここで、サーバ装置１００から委託元クライアント装置２５０へデータ送信を行う際の委託元クライアント装置２５０の特定は、委託元クライアント装置２５０から送信要求と共に送信されたＩＰアドレスを用いて行う。
【０１４３】
なお、このように委託元からＷＥＢページの送信要求があった場合には、利用者に利用者ＩＤおよびパスワードの入力を求め、記憶部１０６のデータベースに格納されている委託元ＩＤおよびパスワードに基づいて認証可否を判断し、認証可の場合にのみＷＥＢページを閲覧させてもよい（以下においても同様であるためその詳細を省略する）。
【０１４４】
この委託元クライアント装置２５０は、サーバ装置１００からのＷＥＢデータを通信制御ＩＦ２８０を介して受信し、このデータをＷＥＢブラウザ２１１にて解釈することにより、モニタ２６１に委託指示情報入力用ＷＥＢページを表示する。以下、委託元クライアント装置２５０からサーバ装置１００への画面要求と、サーバ装置１００から委託元クライアント装置２５０へのＷＥＢデータの送信、および、委託先クライアント装置２００におけるＷＥＢページの表示はほぼ同様に行われるものとし、以下ではその詳細を省略する。
【０１４５】
そして、委託元が委託元クライアント装置２５０の入力装置２９０を介して委託指示情報を入力すると、入力情報がサーバ装置１００に送信される（ステップＳＢ−１）。
ついで、サーバ装置１００は、委託処理部１０２ａの処理により、一意の委託情報ＩＤを付与した後、委託指示情報を委託情報管理データベース１０６ｃに格納する（ステップＳＢ−２）。
【０１４６】
そして、委託処理部１０２ａは、送信タイミングに従って、委託先に対して委託指示情報を電子メールで通知するために、電子メールデータを生成する。具体的には、委託先の委託先ＩＤ等に基づいて委託先管理データベース１０６ｂに格納された委託先情報を参照し、この委託先の電子メールアドレスを呼び出す。
【０１４７】
そして、この電子メールアドレスを宛先とする電子メールであって、委託指示情報を含む電子メールのメールデータを生成して、このメールデータを通信制御インターフェース部１０４に受け渡す。そして、通信制御インターフェース部１０４は、このメールデータを送信する（ステップＳＢ−３）。
【０１４８】
一方、委託先は、委託先クライアント装置２００の電子メーラ２１２を用いて上記電子メールを任意のタイミングで受信する。この電子メールは電子メーラ２１２の公知の機能に基づいてモニタ２６１に表示される。また、利用者は、必要に応じてこの電子メールの表示内容をプリンタ２６２にて印刷することができる。
【０１４９】
ついで、委託先は、委託指示情報に基づいて委託業務を行い、派遣先より最終請求金額を徴収する（ステップＳＢ−４）。
【０１５０】
ついで、委託先は、徴収した最終請求金額を自己の契約口座等である第１の契約口座に入金する（ステップＳＢ−５）。この入金作業は、委託先がキャッシュカードや振込カードなどを用いて、金融機関や駅やコンビニエンスストアやスーパー等に設置されているＡＴＭ装置等で行われてもよい。これにて、業務委託処理が終了する。
【０１５１】
（収納処理）
次に、収納処理の詳細について図９から図１１を参照して説明する。図９は、本実施形態における本システムの収納処理の一例を示すフローチャートである。
【０１５２】
まず、委託先クライアント装置２００は、サーバ装置１００にアクセスして（ステップＳＣ−１）、収納処理用ＷＥＢページの送信を要求する。
【０１５３】
ついで、サーバ装置１００は、収納処理部１０２ｂの処理により、収納処理用ＷＥＢページの送信を行う（ステップＳＣ−２）。
【０１５４】
ついで、委託先クライアント装置２００のモニタ２６１には、収納処理用ＷＥＢページが表示される。
【０１５５】
図１０は、委託先クライアント装置２００のモニタ２６１に表示される収納処理用ＷＥＢページの表示画面の一例を示す図である。この図に示すように収納処理用ＷＥＢページの表示画面は、例えば、委託指示情報を表示し、それに対応する業務報告情報を入力するための入力領域ＭＡ−１、入力内容を確定するための確定ボタンＭＡ−２、入力内容をキャンセルするためのキャンセルボタンＭＡ−３等を含んで構成されている。
【０１５６】
ここで、委託先は、入力領域ＭＡ−１に業務報告情報を入力し、確定ボタンＭＡ−２を選択すると、業務報告情報等が委託先クライアント装置２００からサーバ装置１００に対して送信される（ステップＳＣ−３）。
【０１５７】
ついで、サーバ装置１００は、収納処理部１０２ｂの処理により、委託情報管理データベース１０６ｃの情報を受信した業務報告情報により更新する（ステップＳＣ−４）。
【０１５８】
ついで、サーバ装置１００は、収納処理部１０２ｂの処理により、収納確認用ＷＥＢページを委託先クライアント装置２００に対して送信すると、委託先クライアント装置２００のモニタ２６１には図１１に示す収納確認用ＷＥＢページが表示される。
【０１５９】
図１１は、委託先クライアント装置２００のモニタ２６１に表示される収納確認用ＷＥＢページの表示画面の一例を示す図である。この図に示すように収納確認用ＷＥＢページの表示画面は、例えば、委託指示情報と、対応する業務報告情報を表示するための表示領域ＭＢ−１、収納処理を実行するための収納ボタンＭＢ−２、入力内容をキャンセルするためのキャンセルボタンＭＢ−３等を含んで構成されている。
【０１６０】
ここで、委託先が、収納ボタンＭＢ−２を押下すると（ステップＳＣ−５）、その情報がサーバ装置１００に対して送信される。
【０１６１】
ついで、サーバ装置１００は、収納処理部１０２ｂの処理により、振替処理を起動する（ステップＳＣ−６）。
【０１６２】
一方、委託先が、キャンセルボタンＭＢ−３を押下すると、サーバ装置１００は、再びステップＳＣ−２に処理を戻し、図１０の収納処理用ＷＥＢページの表示画面が再び表示される。これにて、収納処理が終了する。
【０１６３】
（振替処理）
次に、振替処理の詳細について図１２を参照して説明する。図１２は、本実施形態における本システムの振替処理の一例を示すフローチャートである。
【０１６４】
まず、サーバ装置１００は、振替処理部１０２ｃの処理により、収納処理が完了した委託情報について、委託情報管理データベース１０６ｃに格納された委託元ＩＤと委託先ＩＤと最終請求金額を抽出する。
【０１６５】
そして、振替処理部１０２ｃは、委託元ＩＤおよび委託先ＩＤをキーとして委託元管理データベース１０６ａおよび委託先管理データベース１０６ｂを参照して、各契約口座を取得する。
【０１６６】
そして、振替処理部１０２ｃは、金融機関に対して、第１の契約口座から第２の契約口座に最終請求金額を振り替えるように振替依頼を送信する（ステップＳＤ−１）。
【０１６７】
金融機関は振替依頼に従って第１の契約口座から第２の契約口座に振替を行った後（ステップＳＤ−２）、振替完了をサーバ装置１００に対して送信する（ステップＳＤ−３）。これにて、振替処理が終了する。
【０１６８】
（入金消込処理）
次に、入金消込処理の詳細について図１３を参照して説明する。図１３は、本実施形態における本システムの入金消込処理の一例を示すフローチャートである。
【０１６９】
まず、サーバ装置１００は、入金消込処理部１０２ｄの処理により、振込が完了した委託情報について、委託情報ＩＤ、委託指示情報のうち少なくとも一部（全部を含む）、業務報告情報のうち少なくとも一部（全部を含む）、振替日等を含む振替完了通知を委託元クライアント装置２５０に対して送信する（ステップＳＥ−１）。
【０１７０】
ついで、委託元は振替完了通知を受信し、委託情報ＩＤに基づいて委託情報管理データベース１０６ｃの振替日を更新し、入金の消し込みを行う（ステップＳＥ−２）。
【０１７１】
ここで、委託元における入金の消し込みは、担当者が振替完了通知の内容と請求に関する帳簿とを確認して入金された請求について消し込みを行うことの他、委託元の業務管理システムにおいて受信した振替完了通知のデータを取り込み電子的に請求に関する帳票データ等と付き合わせて入金の消し込みを行うことなどを含む。
【０１７２】
ついで、消し込みの完了の通知をサーバ装置１００に対して送信する（ステップＳＥ−３）。これにて、入金消込処理が終了する。
【０１７３】
（実施例１）
次に、実施例１の詳細について図１４を参照して説明する。図１４は、本実施形態における本システムの実施例１の処理の一例を示す概念図である。
【０１７４】
まず、「客先、サービス内容、価格」等の委託指示情報をサービスを実行する社員などである委託者に送る（図１４の▲１▼）。送付は電子メールやファックス装置などでよい。同時に同じ情報がＷＥＢサイトに格納される（図１４の▲４▼）。
【０１７５】
ついで、サービスの実行者は、▲１▼で指示された内容のサービスを顧客に提供し、料金を受領する（図１４の▲２▼）。
【０１７６】
ついで、サービス実行者は、銀行のＡＴＭやコンビニエンスストアなどを利用して回収代金を自分の口座（第１の契約口座）に入金する（図１４の▲３▼）。
【０１７７】
ついで、サービス実行者は、携帯端末や帰宅後にパソコンを利用して企業のＷＥＢサイトにアクセスする（図１４の▲４▼）。ＷＥＢサイトは、ＩＤなどを利用してファックス装置や電子メールからダイレクトアクセスできる。
【０１７８】
ＷＥＢサイトの画面には、該当の客先、サービス内容、価格が表示され、現金集金した金額の会社への収納表示を行う（図１４の▲５▼）。値引き、瑕疵などで価格が変動した場合、それを修正値（「最終請求金額」）として入力できる。
【０１７９】
収納額確定後、収納ボタンを押すと請求代行会社のサーバ装置１００にリンクし、各自の取引銀行の口座（第１の契約口座）から会社の口座（第２の契約口座）に即時に収納額の振替処理が行われる（図１４の▲６▼）。
【０１８０】
振替ＯＫの結果を受け、即時に▲５▼で作成した収納明細が販売・サービス企業に送られ、入金の消し込みが自動化できる（図１４の▲７▼）。
【０１８１】
図１４の▲４▼において、ＷＥＢサイトを作らず、▲１▼の電子メールそのものに▲６▼のリンク先を貼り付け、受けた電子メールからサーバ装置１００に処理を飛ばし、結果がＯＫであればその電子メールを会社に返送することでも同様な対応が可能となる。これにより、全体として経費低減、スピードアップ、トラブル回避、リアルタイム情況把握が可能になる。これにて、実施例１の処理が終了する。
【０１８２】
（実施例２）
次に、実施例２の詳細について図１５および図１６を参照して説明する。図１５および図１６は、本実施形態における本システムの実施例２の一例を示す概念図である。
本実施例では、委託先が派遣先で講習を実施する場合を一例に説明する。
【０１８３】
まず、委託元クライアント装置２５０は、業務の委託先に対する委託指示情報を送信する。
【０１８４】
そして、サーバ装置１００は、委託元クライアント装置２５０から業務の委託先に対する委託指示情報を受信する。
【０１８５】
そして、サーバ装置１００は、委託指示情報受信ステップにて受信した委託指示情報を格納する。委託指示情報を業務の委託先の委託先クライアント装置２００に対して送信する。
【０１８６】
そして、委託先クライアント装置２００は、委託指示情報を受信する（図１５の▲１▼）。
【０１８７】
そして、委託先は、委託された講習を受講生に対して実施し（図１５の▲２▼）、受講生から受け取った料金を第１の契約口座に対して入金する（図１５の▲３▼）。
【０１８８】
そして、委託先クライアント装置２００は、受信した委託指示情報に対応する業務報告に関する情報であって、委託先が少なくとも最終請求金額に関する情報を指定した業務報告情報をサーバ装置１００に対して送信する（図１６の▲４▼）。
【０１８９】
そして、サーバ装置１００は、委託先クライアント装置２００から委託指示情報に対応する業務報告に関する情報であって、委託先が少なくとも最終請求金額に関する情報を指定した業務報告情報を受信する。
【０１９０】
そして、サーバ装置１００は、受信した業務報告情報を格納する。
【０１９１】
そして、サーバ装置１００は、委託先が業務報告情報にて指定した最終請求金額を入金した第１の契約口座から、委託元が契約する第２の契約口座に当該最終請求金額を振り替えることを金融機関システム４００に依頼する（図１６の▲５▼）。
【０１９２】
そして、サーバ装置１００は、振り替えが完了したことを通知する振替完了通知を委託元の委託元クライアント装置２５０に対して送信する（図１６の▲６▼）。
【０１９３】
そして、委託元クライアント装置２５０は、振替完了通知を受信して入金の消し込みを行う。これにて、実施例２が終了する。
【０１９４】
（実施例３）
次に、実施例３の詳細について図１７を参照して説明する。図１７は、本実施形態における本システムの実施例３の一例を示す概念図である。
本実施例では、委託先である営業員が入金する第１の契約口座が営業所の収納口座であり、営業員（委託先）が郵貯や銀行などの入金・集金専用カード（営業所が営業員に予め配布している）を利用して、金融機関の窓口やコンビニ等のＡＴＭ装置で第１の契約口座に入金を行い、また、営業員（委託先）が収納明細や契約明細をＷＥＢ上で作成して顧客に渡すと共に作成された明細などが営業所にも送信される場合を一例に説明する。なお、本実施例においては、サーバ装置１００は、委託先、委託元とは別の請求代行会社が管理している場合を一例に説明している。
【０１９５】
まず、委託元クライアント装置２５０は、業務の委託先に対する委託指示情報を送信する。
【０１９６】
そして、サーバ装置１００は、委託元クライアント装置２５０から業務の委託先に対する委託指示情報を受信する。
【０１９７】
そして、サーバ装置１００は、委託指示情報受信ステップにて受信した委託指示情報を格納する。委託指示情報を業務の委託先の委託先クライアント装置２００（例えば、ハンディターミナル（ＨＴ）端末など）に対して送信する。
【０１９８】
そして、委託先クライアント装置２００は、委託指示情報を受信する。
【０１９９】
そして、委託先は、委託された業務を顧客に対して実施（例えば、物品の販売や生命保険・損害保険契約の締結など）するとともに、サーバ装置１００にアクセスして、委託先クライアント装置２００で計算書や領収書などを作成して顧客に渡す。
【０２００】
また、委託先は、委託先クライアント装置２００でサーバ装置１００にアクセスして必要登録事項や契約金額（最終請求金額）を作成して登録する。すなわち、委託先クライアント装置２００は、受信した委託指示情報に対応する業務報告に関する情報であって、委託先が少なくとも最終請求金額に関する情報を指定した業務報告情報をサーバ装置１００に対して送信する（図１７の▲１▼）。
【０２０１】
そして、サーバ装置１００は、委託先クライアント装置２００から委託指示情報に対応する業務報告に関する情報であって、委託先が少なくとも最終請求金額に関する情報を指定した業務報告情報を受信する。
【０２０２】
そして、サーバ装置１００は、受信した業務報告情報を委託情報管理データベース１０６ｃに格納する。
【０２０３】
そして、営業員（委託先）は受講生から受け取った料金を、入金・集金専用カード（営業所が営業員に予め配布している）を利用して、金融機関の窓口やコンビニ等のＡＴＭ装置から第１の契約口座に対して入金する（図１７の▲２▼）。ここで、規定の入金時刻（例えば、午後４時等）を設けることが望ましい。
【０２０４】
そして、委託元の営業所では、規定の入金時刻が経過すると、金融機関システム４００にアクセスして、営業所の収納口座（第１の契約口座）に当日入金された金額の明細を取得する。そして、委託元の営業者は、サーバ装置１００にアクセスして、委託情報管理データベース１０６ｃに当日登録された業務報告情報を取得し、金融機関システム４００から取得した当日入金明細と照合を行う（図１７の▲３▼）。すなわち、委託元のクライアント装置２５０は、サーバ装置１００に格納された業務報告情報を取得し、照会された第１の契約口座の入金状況と、取得した業務報告情報の最終請求金額とを比較して、委託先による入金状況を確認する。
【０２０５】
そして、委託元の営業所では、照合結果を確認した後、当日入金された合計金額を本社の収納口座（第２の契約口座）に振り替えるようにサーバ装置１００に対して指示する（図１７の▲４▼）。すなわち、委託元のクライアント装置２５０は、入金状況確認手段により確認された業務の最終請求金額について、サーバ装置１００に対して振込依頼指示を送信する。
【０２０６】
そして、サーバ装置１００は、委託元のクライアント装置２５０からの振込依頼指示に従って、委託先が業務報告情報にて指定した最終請求金額を入金した第１の契約口座から、委託元が契約する第２の契約口座に当該最終請求金額を振り替えることを金融機関システム４００に依頼する。
【０２０７】
そして、サーバ装置１００は、金融機関システム４００から振込完了の旨を受け取ると、収納金の入金確認済み契約明細として、営業所が当日確定した業務のＩＤ、その他必要事項を本社に対して電子メールなどで送信する。すなわち、サーバ装置１００は、振り替えが完了したことを通知する振替完了通知を委託元の委託元クライアント装置２５０に対して送信する（図１７の▲５▼）。
【０２０８】
そして、委託元クライアント装置２５０は、振替完了通知を受信して入金の消し込みを行う。これにて、実施例３が終了する。
【０２０９】
（実施例４）
次に、実施例４の詳細について図１８を参照して説明する。図１８は、本実施形態における本システムの実施例４の一例を示す概念図である。
本実施例では、委託先である営業員が入金する第１の契約口座が営業所の収納口座であり、営業員（委託先）が郵貯や銀行などの入金・集金専用カード（営業所が営業員に予め配布している）を利用して、金融機関の窓口やコンビニ等のＡＴＭ装置で第１の契約口座に入金を行い、また、営業員（委託先）が収納明細や契約明細をＷＥＢ上で作成して顧客に渡すと共に作成された明細などが営業所にも送信される場合を一例に説明する。なお、本実施例においては、サーバ装置１００は、委託元が管理している場合を一例に説明している。
【０２１０】
まず、委託元クライアント装置２５０は、業務の委託先に対する委託指示情報を送信する。
【０２１１】
そして、サーバ装置１００は、委託元クライアント装置２５０から業務の委託先に対する委託指示情報を受信する。
【０２１２】
そして、サーバ装置１００は、委託指示情報受信ステップにて受信した委託指示情報を格納する。委託指示情報を業務の委託先の委託先クライアント装置２００（例えば、ハンディターミナル（ＨＴ）端末など）に対して送信する。
【０２１３】
そして、委託先クライアント装置２００は、委託指示情報を受信する。
【０２１４】
そして、委託先は、委託された業務を顧客に対して実施（例えば、物品の販売や生命保険・損害保険契約の締結など）するとともに、サーバ装置１００にアクセスして、委託先クライアント装置２００で計算書や領収書などを作成して顧客に渡す。
【０２１５】
また、委託先は、委託先クライアント装置２００でサーバ装置１００にアクセスして必要登録事項や契約金額（最終請求金額）を作成して登録する。すなわち、委託先クライアント装置２００は、受信した委託指示情報に対応する業務報告に関する情報であって、委託先が少なくとも最終請求金額に関する情報を指定した業務報告情報をサーバ装置１００に対して送信する（図１８の▲１▼）。
【０２１６】
そして、サーバ装置１００は、委託先クライアント装置２００から委託指示情報に対応する業務報告に関する情報であって、委託先が少なくとも最終請求金額に関する情報を指定した業務報告情報を受信する。
【０２１７】
そして、サーバ装置１００は、受信した業務報告情報を委託情報管理データベース１０６ｃに格納する。
【０２１８】
そして、営業員（委託先）は受講生から受け取った料金を、入金・集金専用カード（営業所が営業員に予め配布している）を利用して、金融機関の窓口やコンビニ等のＡＴＭ装置から第１の契約口座に対して入金する（図１８の▲２▼）。ここで、規定の入金時刻（例えば、午後４時等）を設けることが望ましい。
【０２１９】
そして、委託元の営業所では、規定の入金時刻が経過すると、金融機関システム４００にアクセスして、営業所の収納口座（第１の契約口座）に当日入金された金額の明細を取得する。そして、委託元の営業者は、サーバ装置１００にアクセスして、委託情報管理データベース１０６ｃに当日登録された業務報告情報を取得し、金融機関システム４００から取得した当日入金明細と照合を行う（図１８の▲３▼）。
【０２２０】
そして、委託元の営業所では、照合結果を確認した後、当日入金された合計金額を本社の収納口座（第２の契約口座）に振り替えるようにサーバ装置１００に対して指示する（図１８の▲４▼）。すなわち、委託元のクライアント装置２５０は、入金状況確認手段により確認された業務の最終請求金額について、サーバ装置１００に対して振込依頼指示を送信する。
【０２２１】
そして、サーバ装置１００は、委託元のクライアント装置２５０からの振込依頼指示に従って、委託先が業務報告情報にて指定した最終請求金額を入金した第１の契約口座から、委託元が契約する第２の契約口座に当該最終請求金額を振り替えることを金融機関システム４００に依頼する。
【０２２２】
そして、サーバ装置１００は、金融機関システム４００から振込完了の旨を受け取ると、収納金の入金確認済み契約明細として、営業所が当日確定した業務のＩＤ、その他必要事項を本社に対して電子メールなどで送信する。すなわち、サーバ装置１００は、振り替えが完了したことを通知する振替完了通知を委託元の委託元クライアント装置２５０に対して送信する（図１８の▲５▼）。
【０２２３】
そして、委託元クライアント装置２５０は、振替完了通知を受信して入金の消し込みを行う。これにて、実施例４が終了する。
【０２２４】
（他の実施の形態）
さて、これまで本発明の実施の形態について説明したが、本発明は、上述した実施の形態以外にも、上記特許請求の範囲に記載した技術的思想の範囲内において種々の異なる実施の形態にて実施されてよいものである。
【０２２５】
また、実施形態において説明した各処理のうち、自動的に行なわれるものとして説明した処理の全部または一部を手動的に行うこともでき、あるいは、手動的に行なわれるものとして説明した処理の全部または一部を公知の方法で自動的に行うこともできる。
この他、上記文書中や図面中で示した処理手順、制御手順、具体的名称、各種の登録データや検索条件等のパラメータを含む情報、画面例、データベース構成については、特記する場合を除いて任意に変更することができる。
【０２２６】
また、サーバ装置１００に関して、図示の各構成要素は機能概念的なものであり、必ずしも物理的に図示の如く構成されていることを要しない。
例えば、サーバ装置１００の各サーバが備える処理機能、特に制御部にて行なわれる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現することができ、あるいは、ワイヤードロジックによるハードウェアとして実現することも可能である。なお、プログラムは、後述する記録媒体に記録されており、必要に応じてサーバ装置１００に機械的に読み取られる。
【０２２７】
また、サーバ装置１００は、さらなる構成要素として、マウス等の各種ポインティングデバイスやキーボードやイメージスキャナやデジタイザ等から成る入力装置（図示せず）、入力データのモニタに用いる表示装置（図示せず）、システムクロックを発生させるクロック発生部（図示せず）、および、各種処理結果その他のデータを出力するプリンタ等の出力装置（図示せず）を備えてもよく、また、入力装置、表示装置および出力装置は、それぞれ入出力インターフェースを介して制御部１０２に接続されてもよい。
【０２２８】
記憶部１０６に格納される各種のデータベース等（委託元管理データベース１０６ａ〜委託情報管理データベース１０６ｃ）は、ＲＡＭ、ＲＯＭ等のメモリ装置、ハードディスク等の固定ディスク装置、フレキシブルディスク、光ディスク等のストレージ手段であり、各種処理やウェブサイト提供に用いる各種のプログラムやテーブルやファイルやデータベースやウェブページ用ファイル等を格納する。
【０２２９】
また、サーバ装置１００は、既知のパーソナルコンピュータ、ワークステーション等の情報処理端末等の情報処理装置にプリンタやモニタやイメージスキャナ等の周辺装置を接続し、該情報処理装置に本発明の方法を実現させるソフトウェア（プログラム、データ等を含む）を実装することにより実現してもよい。
【０２３０】
さらに、サーバ装置１００の分散・統合の具体的形態は図示のものに限られず、その全部または一部を、各種の負荷等に応じた任意の単位で、機能的または物理的に分散・統合して構成することができる。例えば、各データベースを独立したデータベース装置として独立に構成してもよく、また、処理の一部をＣＧＩ（Ｃｏｍｍｏｎ  Ｇａｔｅｗａｙ  Ｉｎｔｅｒｆａｃｅ）を用いて実現してもよい。
【０２３１】
また、委託先クライアント装置２００および委託元クライアント装置２５０は、既知のパーソナルコンピュータ、ワークステーション、家庭用ゲーム装置、インターネットＴＶ、ＰＨＳ端末、携帯端末、移動体通信端末またはＰＤＡ等の情報処理端末等の情報処理装置にプリンタやモニタやイメージスキャナ等の周辺装置を必要に応じて接続し、該情報処理装置にウェブ情報のブラウジング機能や電子メール機能を実現させるソフトウェア（プログラム、データ等を含む）を実装することにより実現してもよい。
【０２３２】
この委託先クライアント装置２００および委託元クライアント装置２５０の制御部２１０は、その全部または任意の一部を、ＣＰＵおよび当該ＣＰＵにて解釈実行されるプログラムにて実現することができる。すなわち、ＲＯＭまたはＨＤには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０２３３】
しかしながら、このコンピュータプログラムは、委託先クライアント装置２００および委託元クライアント装置２５０に対して任意のネットワークを介して接続されたアプリケーションプログラムサーバに記録されてもよく、必要に応じてその全部または一部をダウンロードすることも可能である。このあるいは、各制御部の全部または任意の一部を、ワイヤードロジック等によるハードウェアとして実現することも可能である。
【０２３４】
また、本発明にかかるプログラムを、コンピュータ読み取り可能な記録媒体に格納することもできる。ここで、この「記録媒体」とは、フレキシブルディスク、光磁気ディスク、ＲＯＭ、ＥＰＲＯＭ、ＥＥＰＲＯＭ、ＣＤ−ＲＯＭ、ＭＯ、ＤＶＤ等の任意の「可搬用の物理媒体」や、各種コンピュータシステムに内蔵されるＲＯＭ、ＲＡＭ、ＨＤ等の任意の「固定用の物理媒体」、あるいは、ＬＡＮ、ＷＡＮ、インターネットに代表されるネットワークを介してプログラムを送信する場合の通信回線や搬送波のように、短期にプログラムを保持する「通信媒体」を含むものとする。
【０２３５】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０２３６】
また、ネットワーク３００は、サーバ装置１００と委託先クライアント装置２００と委託元クライアント装置２５０と金融機関システム４００とを相互に接続する機能を有し、例えば、インターネットや、イントラネットや、ＬＡＮ（有線／無線の双方を含む）や、ＶＡＮや、パソコン通信網や、公衆電話網（アナログ／デジタルの双方を含む）や、専用回線網（アナログ／デジタルの双方を含む）や、ＣＡＴＶ網や、ＩＭＴ２０００方式、ＧＳＭ方式またはＰＤＣ／ＰＤＣ―Ｐ方式等の携帯回線交換網／携帯パケット交換網や、無線呼出網や、Ｂｌｕｅｔｏｏｔｈ等の局所無線網や、ＰＨＳ網や、ＣＳ、ＢＳまたはＩＳＤＢ等の衛星通信網等のうちいずれかを含んでもよい。すなわち、本システムは、有線・無線を問わず任意のネットワークを介して、各種データを送受信することができる。
【０２３７】
【発明の効果】
以上詳細に説明したように、本発明によれば、業務委託内容を一括管理することができ、また、委託元における入金確認および入金の消し込み作業を簡略化することができる業務委託情報管理システム、業務委託情報処理装置、委託元用情報端末装置、委託先用情報端末装置、業務委託情報管理方法、プログラム、および、記録媒体を提供することができる。
【０２３８】
すなわち、本発明によれば、業務委託情報処理装置は、委託元用情報端末装置から業務の委託先に対する委託指示情報を受信し、受信した委託指示情報を格納し、委託指示情報を業務の委託先の委託先用情報端末装置に対して送信し（例えば、電子メールの形態で送信してもよく、また、ＷＥＢページの形態で委託先用情報端末装置からのページ要求指示により送信してもよく、その他の送信手段により送信してもよい）、委託先用情報端末装置から委託指示情報に対応する業務報告に関する情報であって、委託先が少なくとも最終請求金額に関する情報を指定した業務報告情報を受信し、受信した業務報告情報を格納し、委託元用情報端末装置からの振込依頼指示に従って、委託先が業務報告情報にて指定した最終請求金額を入金した第１の契約口座から、委託元が契約する第２の契約口座に当該最終請求金額を振り替えることを金融機関システムに依頼し、振り替えが完了したことを通知する振替完了通知を委託元の委託元用情報端末装置に対して送信する（例えば、電子メールの形態で送信してもよく、また、ＷＥＢページの形態で委託元用情報端末装置からのページ要求指示により送信してもよく、その他の送信手段により送信してもよい）ので、業務委託の進捗管理から収納管理までを本業務委託情報処理装置により一括管理することができるようになる。
【０２３９】
従って、委託元が委託指示を出した業務について、適宜、業務委託情報処理装置に格納されている情報をＷＥＢ上で参照等することにより、進捗や入金の管理を行うことができるようになる。
【０２４０】
また、本発明によれば、委託先が顧客から受け取った料金などの最終請求金額を入金する第１の契約口座と、委託元が契約する収納用の第２の契約口座を分けているので、委託先は、自己の管理する第１の契約口座に料金等を入金することで済むようになる（すなわち、委託先が銀行等に振込サービス提供時間内（通常は９時から１５時）にわざわざ出向いて委託元の契約口座に料金を振り込む必要はない）。ここで、キャッシュカードなどによる契約口座への入金（すなわち、契約口座への預け入れ）は、金融機関は、一般的に手数料無料でかつ年中無休で２４時間、ＡＴＭ装置等により駅やスーパーやコンビニエンスストア等でも行うことができる。従って、第１の契約口座を委託先が自己で管理する口座にすることにより、第１の契約口座への入金を簡便に行うことが可能になるため、委託先において入金作業が委託業務の遂行に支障を来たす場合も少なくなり、また、夜間に料金を集金したときでも直ちに料金の契約口座に入金を済ませることができるようになる。
【０２４１】
そして、本発明によれば、委託元が業務報告情報を受信後に、委託先が業務報告情報にて指定した最終請求金額を入金した第１の契約口座から、委託元が契約する第２の契約口座に当該最終請求金額を振り替えることを金融機関システムに依頼することにより、委託業務が完了した案件について委託元の指示により委託元の契約口座（第２の契約口座）に振替を行うことができるようになる。
【０２４２】
ここで、委託先が業務報告情報にて指定した最終請求金額を入金した第１の契約口座は、委託先の個人の契約口座でもよく、また、委託元（委託元の配下の組織を含む）の契約口座でもよい。すなわち、委託先が委託元の営業所単位で契約した契約口座等（第１の契約口座）に一旦振り込んだ後、委託元の契約口座（第２の契約口座）に振り替えてもよい。これにより、委託元が営業所単位で第１の契約口座の入金を確認してから、金融機関システムに対して本社が管理する第２の契約口座に振替依頼を行うことができるようになる。
【０２４３】
また、本発明によれば、委託元は、業務委託情報処理装置から振替完了通知を受信することにより、委託元の契約する第２の契約口座に入金された料金がどの委託業務に関する料金であるかが明確に把握できるようになり、入金の消し込み作業を極めて効率的に行うことができるようになる。
【０２４４】
ここで、委託元における入金の消し込みは、担当者が振替完了通知の内容と請求に関する帳簿とを確認して入金された請求について消し込みを行うことの他、委託元の業務管理システムにおいて受信した振替完了通知のデータを取り込み電子的に請求に関する帳票データ等と付き合わせて入金の消し込みを行うことなどを含み、各企業などにおける入金の消し込みのあらゆる態様を想定したものである。
【０２４５】
また、本システムによれば、委託先用情報端末装置は、委託指示情報を受信し、受信した委託指示情報に対応する業務報告に関する情報であって、委託先が少なくとも最終請求金額に関する情報を指定した業務報告情報を業務委託情報処理装置に対して送信するので、業務報告をリアルタイムに送信することができるようになる。また、委託先は、業務完了後、最終請求金額を銀行や郵貯などの金融機関システムのＡＴＭなどを用いて第１の契約口座に振り込むことにより、入金作業を簡略化することができるようになる。
【０２４６】
また、本発明によれば、委託元用情報端末装置は、第１の契約口座の入金状況を金融機関システムに対して照会するので、委託先の入金状況を適宜確認することができるようになり、第２の契約口座への振替指示などを出す際に参考にすることができる業務委託情報管理システム、業務委託情報処理装置、委託元用情報端末装置、委託先用情報端末装置、業務委託情報管理方法、プログラム、および、記録媒体を提供することができる。
【０２４７】
また、本発明によれば、委託元用情報端末装置は、業務委託情報処理装置に格納された業務報告情報を取得し、照会された第１の契約口座の入金状況と、取得した業務報告情報の最終請求金額とを比較して、委託先による入金状況を確認し、確認された業務の最終請求金額について、業務委託情報処理装置に対して振込依頼指示を送信するので、委託業務が完了しかつ入金が完了したものについて第２の契約口座に振り替えることができるようになり、入金消し込み作業をさらに簡略化することができる業務委託情報管理システム、業務委託情報処理装置、委託元用情報端末装置、委託先用情報端末装置、業務委託情報管理方法、プログラム、および、記録媒体を提供することができる。
【０２４８】
また、本発明によれば、委託指示情報は、業務の委託元、業務の委託先、派遣先、業務の委託内容、請求金額、請求金額の受け取り方法、および、上記第１の契約口座への入金期日のうち少なくとも一つに関する情報を含むので、これらの情報を一括管理することができ、かつ、確実に委託先に送信することができる業務委託情報管理システム、業務委託情報処理装置、委託元用情報端末装置、委託先用情報端末装置、業務委託情報管理方法、プログラム、および、記録媒体を提供することができる。
【０２４９】
また、本発明によれば、業務報告情報は、業務の実施日、業務の実施内容、および、第１の契約口座への入金日のうち少なくとも一つに関する情報をさらに含むので、これらの情報を一括管理することができ、かつ、確実に委託元に送信することができる業務委託情報管理システム、業務委託情報処理装置、委託元用情報端末装置、委託先用情報端末装置、業務委託情報管理方法、プログラム、および、記録媒体を提供することができる。
【０２５０】
また、本発明によれば、振替完了通知は、委託指示情報のうち少なくとも一部、業務報告情報のうち少なくとも一部、および、第１の契約口座から第２の契約口座への振替日のうち少なくとも一つに関する情報を含むので、これらの情報を一括管理することができ、かつ、確実に委託元に送信することができる業務委託情報管理システム、業務委託情報処理装置、委託元用情報端末装置、委託先用情報端末装置、業務委託情報管理方法、プログラム、および、記録媒体を提供することができる。
【図面の簡単な説明】
【図１】本システムの全体構成の一例を示すブロック図である。
【図２】本発明が適用されるサーバ装置１００の構成の一例を示すブロック図である。
【図３】委託元管理データベース１０６ａに格納される委託元情報の一例を示す図である。
【図４】委託先管理データベース１０６ｂに格納される委託先情報の一例を示す図である。
【図５】委託情報管理データベース１０６ｃに格納される情報の一例を示す図である。
【図６】本発明が適用される委託先クライアント装置２００の構成の一例を示すブロック図である。
【図７】本実施形態における本システムのメイン処理の一例を示すフローチャートである。
【図８】本実施形態における本システムの業務委託処理の一例を示すフローチャートである。
【図９】本実施形態における本システムの収納処理の一例を示すフローチャートである。
【図１０】委託先クライアント装置２００のモニタ２６１に表示される収納処理用ＷＥＢページの表示画面の一例を示す図である。
【図１１】委託先クライアント装置２００のモニタ２６１に表示される収納確認用ＷＥＢページの表示画面の一例を示す図である。
【図１２】本実施形態における本システムの振替処理の一例を示すフローチャートである。
【図１３】本実施形態における本システムの入金消込処理の一例を示すフローチャートである。
【図１４】本実施形態における本システムの実施例１の処理の一例を示す概念図である。
【図１５】本実施形態における本システムの実施例２の一例を示す概念図である。
【図１６】本実施形態における本システムの実施例２の一例を示す概念図である。
【図１７】本実施形態における本システムの実施例３の一例を示す概念図である。
【図１８】本実施形態における本システムの実施例４の一例を示す概念図である。
【符号の説明】
１００  サーバ装置
１０２  制御部
１０２ａ  委託処理部
１０２ｂ  収納処理部
１０２ｃ  振替処理部
１０２ｄ  入金消込処理部
１０４  通信制御インターフェース部
１０６  記憶部
１０６ａ  委託元管理データベース
１０６ｂ  委託先管理データベース
１０６ｃ  委託情報管理データベース
２００  委託先クライアント装置
２５０  委託元クライアント装置
２１０  制御部
２１１  ＷＥＢブラウザ
２１２  電子メーラ
２２０  ＲＯＭ
２３０  ＨＤ
２４０  ＲＡＭ
２６０  出力装置
２７０  入出力制御インターフェース
２８０  通信制御インターフェース
２９０  入力装置
３００  ネットワーク
４００  金融機関システム
【図１】
0004098999.tif 000002
【図２】
0004098999.tif 000003
【図３】
0004098999.tif 000004
【図４】
0004098999.tif 000005
【図５】
0004098999.tif 000006
【図６】
0004098999.tif 000007
【図７】
0004098999.tif 000008
【図８】
0004098999.tif 000009
【図９】
0004098999.tif 000010
【図１０】
0004098999.tif 000011
【図１１】
0004098999.tif 000012
【図１２】
0004098999.tif 000013
【図１３】
0004098999.tif 000014
【図１４】
0004098999.tif 000015
【図１５】
0004098999.tif 000016
【図１６】
0004098999.tif 000017
【図１７】
0004098999.tif 000018
【図１８】
0004098999.tif 000019